(57)【要約】  建物内の環境条件を修正するためのシステム。大量の多孔性の吸湿性材料であって、例えば、建物または家屋の壁、床および天井の大部分を含む、建築構造物の体積のかなりの部分を形成する、大量の多孔性の吸湿性材料。押し込まれた気流は、送風機、通気口、ポンプ、自然対流などによって、１以上の箇所で大量の吸湿性材料へ、および大量の吸湿性材料から提供される。この気流は、建物外被の内部から、または周囲の環境のいずれかから生じることがあり、建物内に、または周囲の環境へ排出することができる。吸湿性材料による湿気の吸収／脱着の加熱および冷却効果は、室内の快適さのための加熱／冷却要件を大きく埋め合わせるために利用される。【選択図】図１０
2018524540.tif 000002
【特許請求の範囲】
【請求項１】
建物内の環境条件を修正するためのシステムであって、該システムは：
ａ）建物へ一体化された少なくとも１つの組立体であって、前記組立体は、気流経路の配置に露出するある量の吸湿性材料を含み、前記組立体は、前記吸湿性材料と建物の外側の空気との間の湿度交換を防ぐために少なくとも部分的に被包される組立体と；
ｂ）前記組立体に関連し、前記気流経路と建物の外側の周囲空気との間の気流通路を画定する第１および第２の外部通気口であって、前記気流経路を経由して前記組立体内で相互に接続する第１および第２の外部通気口と；
ｃ）前記組立体に関連し、前記気流経路と建物の内側の空気との間の気流通路を画定する、少なくとも一つの内部通気口と；および、
ｄ）前記第１および第２の外部通気口および前記内部通気口と関連する気流制御システムであって、前記気流制御システムは、少なくとも１つのファンを含む送風機装置と、および複数の切り替え可能な気流バルブを含む切り換え装置を含み、前記気流制御システムは：
ｉ．第１の状態であって、前記送風機装置が周囲空気を循環させて、前記内部通気口が閉じられている間、前記外部通気口のうちの１つを通って中へ、前記気流通路に沿って、かつ、前記外部通気口のもう一つを通って外に流れさせ、それにより、周囲空気と吸湿性材料との間の湿気交換を促進する、第１の状態と；および、
ｉｉ．第２の状態であって、前記送風機装置が周囲空気を循環させて、第２の前記外部通気口が閉じられている間、第１の前記外部通気口を通って中へ、前記気流通路に沿って、かつ、前記内部通気口を通って外に流れさせ、それにより、湿度調整および温度調整をされた空気を建物へと導入する、第２の状態と；を選択的に仮定するように構成されている、気流制御システムと、からなることを特徴とする、システム。
【請求項２】
ａ）建物内の空気の温度および湿度を感知するために配備される温度センサーおよび湿度センサーを少なくとも含む内部センサーセットと；
ｂ）建物外の周囲空気の温度および湿度を感知するために配備される温度センサーおよび湿度センサーを少なくとも含む外部センサーセットと；および、
ｃ）少なくとも１つのプロセッサを含む制御装置であって、前記制御装置は、前記内部温度と湿度、および前記外部温度と湿度を示す信号を受信するために、前記内部センサーセットおよび前記外部センサーセットと関連し、前記制御装置は、前記気流制御システムに動作可能に連結して、前記気流制御システムを、前記第１の状態と、前記第２の状態と、および前記組立体を通る気流が防止される第３の状態とに切り替えさせる制御装置と；をさらに含むことを特徴とする、請求項１に記載のシステム。
【請求項３】
前記制御装置は、次に予期される要件を、加熱要件または冷却要件のいずれかとして定義するように構成され、前記制御装置は、前記次に予期される要件に応じて、加熱サイクルアルゴリズムまたは冷却サイクルアルゴリズムを選択的に動作させることを特徴とする、請求項２に記載のシステム。
【請求項４】
前記制御装置は、戸外の湿度をモニタリングすることを含む、加熱サイクルモードにおいて選択的に動作するように構成され、かつ、戸外の湿度が下側閾値よりも下に下がる時、前記第１の状態において気流制御システムを実行させて、前記吸湿性材料の湿気含有量を減少させることを特徴とする、請求項２に記載のシステム。
【請求項５】
前記制御装置は、戸外の湿度をモニタリングすることを含む、冷却サイクルモードにおいて選択的に動作するように構成され、かつ、戸外の湿度が上側閾値よりも超過する時、前記第１の状態において気流制御システムを実行させて、前記吸湿性材料の湿気含有量を増大させることを特徴とする、請求項２に記載のシステム。
【請求項６】
前記制御装置と関連し、かつ、前記組立体内の空気の湿度を感知するために配備される湿度センサーであって、上側閾値および下側閾値は、前記組立体内の空気の前記湿度から少なくとも部分的に導かれる、湿度センサーをさらに含むことを特徴とする、請求項３に記載のシステム。
【請求項７】
前記組立体と関連し、前記気流経路と建物内部の空気との間に空気通路を画定する第２の内部通気口であって、２つの内部通気口は前記気流経路を経由して前記組立体内で相互に接続し、かつ、前記制御装置はさらに、前記気流制御システムを第４の状態に選択的に切り替えるよう構成され、この第４の状態では、前記送風機装置が空気を建物内部から循環させて、前記第１および第２の前記外部通気口が閉じられている間、前記内部通気口の一つを通って中へ、前記気流通路に沿って、かつ、前記内部通気口のもう一つを通って外に流れさせ、それにより、建物内部の空気の温度および／または湿度を修正する、第２の内部通気口をさらに含むことを特徴とする、請求項２に記載のシステム。
【請求項８】
前記制御装置は、
ａ）現在の室内温度と目標温度範囲とを比較し；
ｂ）前記現在の室内温度が前記目標温度範囲を超えた時に、前記周囲空気湿度についての冷却閾値を決定し、かつ、周囲空気湿度が閾値を下回っている場合、前記気流制御システムを実行させて、前記気流経路を通り前記内部通気口を経由して建物内へと気流を発生させる、ように構成されていることを特徴とする、請求項２に記載のシステム。
【請求項９】
前記制御装置は、
ａ）現在の室内温度と目標温度範囲とを比較し；
ｂ）前記現在の室内温度が前記目標温度範囲を下回る時に、前記周囲空気湿度についての加熱閾値を決定し、かつ、前記周囲空気湿度が閾値を上回っている場合、前記気流制御システムを実行させて、前記気流経路を通り前記内部通気口を経由して建物内へと気流を発生させる、ように構成されていることを特徴とする、請求項２に記載のシステム。
【請求項１０】
建物の内部に面している前記組立体の表面の少なくとも１５％は、建物内部の空気に曝された多孔質表面として実装され、したがって、前記吸湿性材料から建物内部の空気への空気および水蒸気の受動的な移動が可能になることを特徴とする、請求項１に記載のシステム。
【請求項１１】
建物の内部に面する前記組立体の表面は被包されて、前記吸湿性材料から建物内部の空気への空気および水蒸気の受動的な移動を防止することを特徴とする、請求項１に記載のシステム。
【請求項１２】
前記組立体は、建物の壁の一部；建物の床の一部；建物の天井の一部；建物の屋根の一部、からなる群から選択される建物の部分を形成することを特徴とする、請求項１に記載のシステム。
【請求項１３】
前記吸湿性材料は前記組立体の少なくとも約８０重量％を含むことを特徴とする請求項１に記載のシステム。
【請求項１４】
前記吸湿性材料は、少なくとも１０−６ｃｍ２（１０５ミリダルシー）である気流透過性を呈するように構成されていることを特徴とする、請求項１に記載のシステム。
【請求項１５】
建物の少なくとも一部の湿気増強冷却のための方法であって、該方法は、
ａ）建物に一体化された少なくとも１つの構造的構成要素を提供する工程であって、前記構造的構成要素は、隣接する通気領域内の空気に曝されるある量の吸湿性材料を含む工程と；
ｂ）通気領域中の空気、および周囲空気の湿度をモニタリングする工程と；
ｃ）充填期間中に、周囲空気の湿度が通気領域の空気の湿度よりも高い時には、周囲空気と通気領域との間の空気の移動を生成し、かつ、周囲空気中の湿度が通気領域内の空気の湿度を下回った場合に、前記空気の移動を中断する工程と；および、
ｄ）冷却期間中に、周囲空気の湿度が通気領域の空気の湿度よりも低い時には、周囲空気と通気領域との間の空気の移動を生成し、かつ、周囲空気の湿度が通気領域内の空気の湿度を上回った場合に、前記空気の移動を中断する工程、
を含むことを特徴とする、方法。
【請求項１６】
構造的構成要素は、吸湿性材料と組立体の外側の空気との間の湿度交換を防止するために被包される被包組立体の一部であり、通気領域は、組立体を通過する気流経路の配置であることを特徴とする、請求項１５に記載の方法。
【請求項１７】
構造的構成要素は建物の屋根構造の一部であり、通気領域は屋根の下の屋根空間であることを特徴とする、請求項１５に記載の方法。
【請求項１８】
建物の少なくとも一部の湿気増強加熱のための方法であって、該方法は
ａ）建物に一体化された少なくとも１つの構造的構成要素を提供する工程であって、前記構造的構成要素は、隣接する通気領域内の空気に曝されるある量の吸湿性材料を含む工程と；
ｂ）通気領域中の空気、および周囲空気の湿度をモニタリングする工程と；
ｃ）充填期間中に、周囲空気の湿度が通気領域の空気の湿度よりも低い時には、周囲空気と通気領域との間の空気の移動を生成し、かつ、周囲空気中の湿度が通気領域内の空気の湿度を上回った場合に、前記空気の移動を中断する工程と；および、
ｄ）加熱期間中に、周囲空気の湿度が通気領域の空気の湿度よりも高い時には、周囲空気と通気領域との間の空気の移動を生成し、かつ、周囲空気の湿度が通気領域内の空気の湿度を下回った場合に、前記空気の移動を中断する工程、を含むことを特徴とする、方法。
【請求項１９】
構造的構成要素は、吸湿性材料と組立体の外側の空気との間の湿度交換を防止するために被包される被包組立体の一部であり、通気領域は、組立体を通過する気流経路の配置であることを特徴とする、請求項１８に記載の方法。
【請求項２０】
構造的構成要素は建物の屋根構造の一部であり、通気領域は屋根の下の屋根空間であることを特徴とする、請求項１８に記載の方法。
【発明の詳細な説明】
【技術分野】
【０００１】
本特許は、２０１５年６月２４日に出願された米国の仮特許出願第６２／１８４１５７号の優先権を主張する。
【０００２】
１．本発明の技術分野
本発明は温度および湿度の制御の分野に関する。
【背景技術】
【０００３】
２．本発明の背景技術
家庭内のエネルギー消費の大部分は建物内の快適な状態の維持に費やされる。快適さは温度および湿度レベルの両方の関数である。温度変動は、ある程度、ほとんどの気候に存在し、熱の緩衝材として働き、かつ建物内のピーク（最大および最小）温度を下げる熱質量を使用することにより、安定した温度を維持するために使用することができる。熱質量は、温度変動が強い気候には大抵適していて、顕著に快適さを増加させるために重量のある構築要素（石、土、水）の使用が必要となる。
【０００４】
吸収性材料上で、またはその材料内に吸収される空気中の水蒸気は、材料に相当量のエネルギーを移動させる。相対湿度はまた、日ごとおよび季節ごとに変動するが、しかし、エネルギーを収穫するために相対湿度におけるこの変動を利用する商業的解決法は現在提示されていない。本発明は、建物内のピークの温度および湿度を安定させるために、相対湿度変動の利用を扱い、それにより、室内の温度および湿度を制御する、より高価なエネルギー手段（電気、ガス）の必要性を低減する。
【０００５】
一方で、ますます増加する地球規模の人口増加の技術的進歩と、他方では地球温暖化（それが人為的であろうとなかろうと）との複合因子の間で、温度と湿度の制御に費やされるエネルギーは、世界的なエネルギー負荷のうちの増大している一部分を表している。したがって、新規で、エネルギー効率が良い温度および湿度制御について差し迫った必要性が存在する。
【発明の概要】
【０００６】
３．本発明の概要
風力エネルギーおよび太陽エネルギーは至る所に遍在しており、我々はこれらを収穫（ｈａｒｖｅｓｔ）し、これらのエネルギー源を容易に使用できる形式に転換することを研究した。空気の相対湿度における変化はまた、「我々の目の前に到来する」ものであり、かつ、これらから収穫することができる相当量のエネルギーが存在する。本特許は、このエネルギー、すなわち環境に対し意識的な時代かつ再生可能な資源を重視するこの時代にあってさえ大部分は見落とされてきた資源を使用する新規性がある方法に関する。
【０００７】
本技術革新は、吸湿性材料に「乾燥」あるいは「湿潤」を貯蔵することにより、空気の乾燥状態および湿潤状態の間の不均衡を使用する。周囲の空気が吸湿性材料より乾燥しているか、または湿っている場合、空気中の湿気と材料中の湿気との間の潜在的なエネルギー差は、材料から空気へ熱を輸送する通路として使用することができ、逆の場合も同様である。このエネルギーを使用することができる単純な方法は、建物の加熱および冷却のためのものである。例えば、吸収材料を多量の保管しておくことで、暑い夏には乾燥させることができ、寒い冬には水を再吸収させることができ、それにより、家庭内の暖房に使用することができる熱を取得することができる。
【０００８】
一つの実施は、例えば、建物または家の壁、床および天井の大部分を含む、建造物の体積のかなりの部分を形成する、大量の多孔性の吸湿性材料からなる。
【０００９】
吸湿性材料は、気体を透過しない塗料、タールなどの、ほとんど気体が漏れない薄膜または層の中に囲まれている。気流は、送風機、通気口、ポンプ、自然対流などによって、１以上の箇所で大量の吸湿性材料へと、およびそこから提供される。この気流は建物外被の内部から、または周囲の環境のいずれかから生じることがあり、建物または周囲の環境へ排出することもできる。
【００１０】
当業者には明白だろうが、建物の吸湿性材料に押し込まれる空気の相対湿度が、吸湿性材料の平衡湿度（これは、材料の現在の湿気含有量と平衡状態にある空気の湿度レベルである）のそれよりも高い時、湿度はこの材料によって吸収されるだろうし、そして結果として加熱され、比較的大量のエネルギー、すなわち、蒸発の潜熱および水と吸収材料との間の結合エネルギーを含む吸着熱を放出する。
【００１１】
同様に、システムに導入されている空気の湿度が材料の「平衡湿度」未満である時、空気は吸湿性材料から湿気を吸収するだろうし、その温度は低下するだろう。２つの潜在的な空気の供給源および吸込み（ｓｉｎｋ）（建物外面内の、および建物外被外の）があるとして、さらに、前述の温度と湿度における変動のほとんど予測可能な毎日のパターンがあるとすると、外部温度中の日内変動およびさらに季節変動の緩和に向けて建物の大きな吸湿性質量を使用し、それにより、建物内に比較的安定した温度および湿度を提供することができる。この効果は、単に建築材料の熱質量によってのみ達成されるのではなく、上述の吸収／脱着による冷却／加熱のはるかに大きな効果を含む。
【００１２】
本発明の先述の実施例は、システムおよびその方法とあわせて記載され例証されたが、これは単なる例証であって制限を意図していない。さらに、すべての特定の参照が特定の方法／システムを具体化することができるが、それを必要としないように、最終的に、そのような教示は、特定の実施形態の使用にもかかわらず、全ての表現を意図している。
【図面の簡単な説明】
【００１３】
４．図面の簡単な説明
本発明の実施形態および特徴は、以下の図面とあわせて本明細書中に記載される。
【図１】図１は、セラミック業界で使用されるさまざまな原材料の吸収能力を示す。
【図２】図２は、建物の屋根の一部として実装される本発明の実施形態を示す。
【図３】図３は、壁の煉瓦のセットとして実装される本発明の実施形態を示す。
【図４】図４は、床のタイルとして実装される本発明の実施形態を示す。
【図５】図５は、壁として組み立てられる本発明の実施形態を示す。
【図６】図６は、本発明の一実施形態の、高表面エネルギー貯蔵建築要素の側面図を示す。これは床壁あるいは天井として組み立てることができる。
【図７】図７は、床、壁または天井として組み立てることができる、高表面エネルギー貯蔵建築要素の組立体を含む本発明の一実施形態を示す。
【図８】図８は、４つの通気口構成について可能な気流パターンを示す。
【図９】図９は、「吸収屋根板」として実装される本発明の実施形態を示す。
【図１０】図１０は、物理システムの可能な実施形態を示す。
【図１１】図１１は、冷却サイクルアルゴリズム及びサマーモード再生サイクルアルゴリズムを含む、サマーモードアルゴリズムの例示的な実施形態を示す。
【図１２】図１２は、加熱サイクルアルゴリズムとウィンターモード再生サイクルアルゴリズムとを含むウィンターモードアルゴリズムの実施形態の一例を示す。
【発明を実施するための形態】
【００１４】
５．好ましい実施形態の簡単な説明
５．１一般的な概念および１つの可能な実施形態
本発明は、以下の好ましい実施形態の詳細な説明から理解されるであろうが、これは説明的なものであって限定するものではない。簡潔にするために、いくつかの周知の特徴、方法、システム、手順、構成要素、回路などについては詳細には説明しない。
【００１５】
本発明の最も一般的な記述は、吸湿性材料に水分または「乾燥」を貯蔵することによって、湿度変動のエネルギー源として実施が可能になるということができることである。この貯蔵されたエネルギーを使用する１つの実際的な方法は加熱および冷却のためのものであり、この加熱および冷却可能性の特に適切な使用は、住居の中においてであり、ここにおいて、ａ．所望の温度変化は比較的小さく、数十度以下であり、かつ、ｂ．建物自体は、本質的に吸湿性である材料で、部分的に、構築することができる。
【００１６】
このような用途においては、本発明は加熱および冷却のために大量の吸湿性材料を使用する。この質量は、壁、天井、床、または建物の他の部分を含むか、またはその一部であってもよく、またはその目的に適したコンテナの建物の外側または内側に保管されてもよい。大きな質量を組み込むことが可能になれば、より低コストの材料（例えば、吸湿性の低い材料）を使用でき、システムが経済的になる。
【００１７】
多くの吸湿性材料がこれらの目的に適している場合がある。吸湿性を有する、セラミック業界の非常に一般的な原材料のいくつかが図１に示されている。吸湿性材料はセルローズのように有機的であってもよく、または、様々な塩類のように無機であってもよい。例えば、塩化カルシウムは、５０％の相対湿度でその重量の２倍まで吸収することができる非常に一般的な塩である。それは吸収性を増大させるために他の物質と混合して使用することができる。記載されるように、気流通路をシステムに配置することで、吸収性材料への（水蒸気の）熱および物質移動が増加する。吸湿性材料の気体（この場合は一般に空気）に対する透過性は、システムが水蒸気およびエネルギーをどれほど早く放出および吸収することができるかを測定する。浸透性は、吸湿性材料の粒の大きさおよび形に影響を受ける可能性があり、将来の研究により、どの形状が蒸気の輸送に最適であるかが判定されるだろう。
【００１８】
いくつかの実施形態では、送風機、通気口、ポンプなどの手段で、または自然対流、風煙突（ｗｉｎｄ  ｃｈｉｍｎｅｙ）などの使用によって、１以上の箇所で吸湿性材料の質量の中に空気を押し込み、または、押し出させることができる。この気流の取り入れは建物外被の内部から、または周囲の環境のいずれかから生じることがあり、建物外被または周囲の環境へ排出することができる。
【００１９】
建物の吸収性材料に押し込まれる空気の相対湿度が、吸湿性材料の「相当湿度」（すなわち、材料の現在の湿気含有量と平衡している状態での空気の湿度）のそれよりも低い時、空気は吸収性の質量から湿気を吸収するであろうし、温度は低下する。
【００２０】
同様に、システムの吸湿性の質量へと導入される空気の湿度がこの質量の「平衡湿度」よりも高い場合、空気からの湿気が材料に吸収され、そして結果として加熱され、蒸発の潜熱および材料の水と結合するエネルギーを含む、吸収熱を放出する。
【００２１】
２つの潜在的な空気の供給源および吸込み（ｓｉｎｋ）（建物外面内の、および建物外被外の）を備え、さらに、前述の温度と湿度における、大規模かつ一般的にいくぶん予測可能な日内変動があるとすると、外部温度および湿度における日内変動および季節変動の緩和に向けて吸湿性質量を使用し、それにより、建物内に比較的安定した温度および湿度を提供することができ、すべてがほぼ完全に受動的なシステムである（エネルギーは空気を移動させ、かつバルブを開閉させるためにのみ加えられる）。この緩和効果は、建築材料の熱質量に起因するだけでなく、上述の加湿／除湿の冷却／加熱効果によっても大きく増幅されることに留意されたい。
【００２２】
暖かい空気または冷たい空気の質量を内部に移動させる（対流）ことによって、または、吸湿性質量の外にかつ家屋の内部へと熱を伝導することによって、それらの逆の場合によっても建物の内部に熱を加えたり、建物の内部から熱を取り除いたりすることができることにさらに言及する。したがって、壁は、吸収性材料を湿気含有量の所与の状態で保管するためだけでなく、建物の内部と熱交換するために使用されてもよい。このような目的のために、壁と内部表面との間の熱伝導率はできるだけ高く保たれてもよく、壁と外部表面との間の熱伝導率はできるだけ低く保たれてもよい（例えば、断熱材料を、壁の「吸湿が活発な」部分と建物の外部との間に加えることによって行われる）。熱伝達が可能な非常に広い表面積により、比較的低い温度差は、建物の内部を加熱／冷却するのに十分であり、システムを大いに効率良くする。
【００２３】
５．１．２毎日の温度および湿度の使用法例
夏に冷却するために、吸湿性材料の一部または全部を、大量の周囲空気（外気）を材料に吹き付けることによって、一晩中および早朝に湿気を「充填」させてもよい。材料は、湿気の吸収に起因してある程度まで加熱されるが、冷たい夜の空気に起因してある程度冷却される。材料をできるだけ冷たく保つために、非常に大量の空気を材料に吹きつけ、この加熱された空気を周囲に放出することが有利であることが見いだされる場合がある。材料によって放出され得る熱エネルギーの最大量が（夜間に到達する最大相対湿度（以下ＲＨ）、大量の質量、およびその物理的特性によって）固定されると、材料を冷却する傾向があり、一方、材料から引き出されうる熱の量は、材料と周囲との間の温度差によってのみ制限され、空気の全体量は、材料を通って押し出される。したがって、大量の空気を材料に吹き付けることによって、材料が、ほぼ「完全充填」であるだけでなく（すなわち、早朝の高い湿度と平衡している状態で高い湿気含有量を有している）、さらにほとんど夜の空気と同じくらい冷たい状態で、夜明けを迎えることができる。これによりその日の暑さのためにシステムが良い位置におかれる。一日の温度が上がりはじめると、周囲または建物内部からの空気が材料を通過する。この空気は、材料と平衡した湿度よりも低い相対湿度を有するだろうから、湿気は空気によって吸収され、結果として冷却される。これに加えて、より冷えた大量の吸湿性材料を通り抜けるより暖かい空気の「直接の」熱効果があり、空気は冷却され、かつ、材料は温まる。吸湿性材料に対する（熱の伝達および脱着からの）正味の効果は冷却である一方で、流入する空気がそれほど熱くない限り、空気に対する影響は、冷却のすべての場合に存在する。冷却された空気は、建物の内部に導かれてもよく、建物から排出されてもよい。後者の場合には、向流交換は理想的には、（例えば）流出する冷えた空気が、流入する暖かい空気を冷却することを可能にする熱交換器によって使用される。熱交換器もシステムの建築要素に組み込まれてもよい。
【００２４】
上述されたプロセスは、毎日、毎週または季節毎に繰り返されてもよい。この単純なサイクルは、吸湿性の質量を比較的乾燥した空気（例えば正午頃の空気）と平衡させ、かつ、夜（相対湿度が一般に上昇する時）に湿った周囲空気を質量に吹き付けることにより、同様に加熱するために使用されてもよい。
【００２５】
このように周囲空気の日内湿度変動または季節湿度変動を使用することは、冷却が望まれている時に有益に放出するために吸湿性材料中に湿気を貯蔵するため、および、加熱が望まれている時に材料が湿気を吸収することを可能にする、「乾燥」を貯蔵するのと同じシステムで、加熱および冷却のための新規性のある手段である。
【００２６】
建築構造物において広く使用される同様の方法は、建築構造物において大規模な熱質量を使用することである。周囲環境がより暑くなる時には、この質量はエネルギーを吸収し、かつ、周囲環境がより冷たくなる場合にはエネルギーを放出して、そうすることにより、建物内部の温度を安定させる。上述される一システムにおける湿度エネルギー貯蔵および熱エネルギー貯蔵の両方の組み合わせは、しかし、次のセクションの量的例で評価しうる大きな利点を有する追加な物理的な機構と結合した結果をもたらす。
【００２７】
受動的熱質量に関する現在のシステムの一実施形態の別の利点は、気流が制御されるために、加熱／冷却効果も同様に制御できるということである。効果が「間違った方向」である場合、（つまり、システムに流入する非常に暑い空気を、冷却時に現在の内部の気温より下に冷却することができない時、または、流入する非常に冷たい空気を、加熱時に現在の内部の気温より上に加熱することができない時）、気流は止めることができる。
【００２８】
受動的熱質量に関する本システムのさらなる利点は、密閉の要件に関する。熱質量をその初期の温度に近付けておくために、充分に断熱しなければならない。大量の吸湿性材料を元の同等の湿度近くに保つためには、密封して気密性にする必要がある。これは、多くの状況において、断熱性の高い障壁を達成するのに必要とされる効果と比較した時、（例えば、屋根用シーラー、エポキシ、上薬掛け（ｇｌａｚｉｎｇ）、塗料などの手段により）より容易に行うことができる場合がある。
【００２９】
上述したように、現在のシステムは、材料の熱質量およびその吸湿特性の自然な結果として、実際に両方の方法（熱質量および吸湿）を使用する。
【００３０】
５．１．３量的例
ここで量的例を考慮する。水が蒸発する熱は２２５７ＫＪ／ｋｇであり、結合エネルギーを加えると、シリカゲルが吸収するエネルギーの合計は２５００ＫＪ／ｋｇに達し、または、ベントナイト＋ＣａＣ１２が吸収するエネルギーは３５００ＫＪ／ｋｇに達する。
【００３１】
比較として、具体的な熱質量の熱容量は、約０．９ＫＪ／Ｋｇ＊Ｋである。したがって、１０度（ケルビン度と同じ程度）の変化に対して、１キログラムのコンクリートは約１０ｋＪを吸収／放出する。しかし、大気の相対湿度における日内変動は、早朝における６５％ＲＨから真昼での２０％ＲＨまでの平均で容易に変化する可能性があると考慮されたい。この日内変動との平衡状態では、１キログラムのベントナイトは約１６（重量）％から６（重量）％までその含水量が変わるであろうが、１００ｇの吸収／脱着水分含有量は、上述のベントナイト／ＣａＣ１２混合物の３５０ＫＪに対応し、すなわち、１ｋｇのコンクリートの熱質量により吸収／放出されたエネルギーの約３５倍である。
【００３２】
これらの数字は単純な生のベントナイト混合物について計算され、かつ、（例えば）２５％ＲＨと６０％ＲＨとの間の水の最大量を吸収／放出するために設計された、仕立てられた材料は、上述の通り計算された３５０ＫＪ／ｋｇという数字以上にまでも十分に吸収／放出するだろう。
【００３３】
５．２日和見性の（Ｏｐｐｏｒｔｕｎｉｓｔｉｃ）湿潤および乾燥収穫
吸収脱着機構でエネルギーを貯蔵する可能性には大きな利益が存在する。これまでに公開されたシステムにおいて、システムを充填する（乾燥させる）ためのエネルギー源は、ソーラーコレクター、廃熱、その他から来る。しばしば水は蒸発冷却のために外部的に加えられる。ここで使用される新規性のある手法は、正しい周囲の状態を「探し回る」こと（その日のまたは季節のうちに自然に生じるこれらの状態を待つという意味で）を含んでいる。そうすることによって、システムはエネルギーを貯蔵するだけでなく、この一般的に未使用の再生可能なエネルギー源を収穫する。
【００３４】
５．３建物との一体化
５．３．１定義
組立体は、吸収貯蔵器の機能を、壁、床、天井、屋根または外面の壁に沿った大きなベンチのような家具などの、建築要素の通常の機能と組み合わせる。様々な実施形態はすべて、大量の吸湿性材料、気流経路、および吸湿性材料を屋外の空気、室内の空気、またはその両方に接続する少なくとも２つの通気口を備える。
【００３５】
構造的構成要素は、上記の「組立体」と同じ機能を有する構造である。
【００３６】
気流経路は、以下の：
１．空気が通気口から材料内へと、材料を通過し、かつ材料の外へ流れることを可能にする、材料内の分離した経路、
２．材料とその被包材料との間の空隙によって形成される経路、
３．組立体と別の建築要素などの最も近くにある周囲のものとの間で形成される経路、
図２の場合、この最も近くにある周囲のものは屋根であり、図は屋根板と吸収材料との間の空隙を示している。
４．図３、４にあるような材料、および、図５および図６の組立体、図７の組立体の配置によって形成される経路、
５．材料の粒子の間の空気通路によって形成される経路、
材料が粒からなる形式である場合、気流通路は顆粒間にある。
様々な形式の内部空気通路はまた、その製造工程において吸収材料に導入されてもよい。
６．上記の可能性の一つまたは組み合わせを使用する経路、
である可能性がある。図６（図７の要素の組立体を示している）に見られるように、異なる組立体の間の接続には、異なる部分の間を空気が流れることを可能にするバルブがある。
【００３７】
通気領域とは、空気が吸湿性材料と接触して熱および湿気の移動が起こりうる容積を指す。
【００３８】
通気口は、電子的に制御されてもよく、一般的に、気流を許容または防止するためのバルブ（例えば、バタフライバルブ、ブラインドベントなど）、および、随意に、空気が流れるように設計された送風機を含む。通気口および送風機の組立体により、大量の吸湿性材料と接触して、空気を本発明の経路を通って流すことができる。そのような通気口がいくつかあってもよく、たとえば、建物の外側に接続された２つの通気口と、内側に接続された２つの通気口がある。温度および湿度、周囲の、内部の、および予期される将来の状態に応じて、これらの４つの通気口により、４つの可能な動作；空気が外側から外側へ、内側から内側へ、外側から内側へ、および、内側から外側へ押し込まれることが可能になる。図８に示すように、自然対流現象を利用して、特定の流れを導くことができる。たとえば、暖かい空気を上昇させ、冷たい空気を下降させることが可能になる。通気口は、開いたときに受動的に温度と湿度の交換を可能にすることによって、空気を押し込むことなく使用することもできる。例えば、天井の組立体は、暑く乾燥した日の間中、建物の内部に向かって開き、水をその中へと蒸発させて天井付近の空気を冷却することができる。
【００３９】
大きな受動的内部通気口：
受動的通気口操作の１つの特定のケースは、図２に示されているようなものであることができ、内部通気口は拡大されて上記気流経路の大部分が建物の内部容積に露出され、したがって、上記吸湿性材料から上記建物内部への受動的な空気および水蒸気の移動が可能になる。この可能性は、外側の気密シールで被包され、その内側には非常に多孔性の構造を有する「吸収タイル」を示す図９に見ることができる。タイルの下で気流が活性化される時、空気の交換は、吸収材料から気流へと行われうる。
【００４０】
構造的構成要素は、隣接する通気領域内で空気に曝されるある量の吸湿性材料を含む構成要素である。
【００４１】
周囲空気とは、具体的に内または外の空気であることが記載されていない限り、一般的に、上記組立体または構造的構成要素の外側の空気をいう。
【００４２】
気流制御システムは、これらの通気口を制御するために使用されてもよく、さらに、制御は、温度およびＲＨの現在の状態および予想される状態、ならびにユーザーの好みに基づく。例えば、ユーザーが自分の快適ゾーンが１８〜２３度の温度かつ２５％〜６５％ＲＨの間にあることを示す場合、アルゴリズムは、上記の４つの可能な動作の予想される効果を測定するために使用することができる（例えば、過去の動作および効果のデータベース、熱および質量移動の方程式を使用する直接計算などに基づく。）これらの動作のうちの１つが、内部状態を快適ゾーンに近づけるために発見された場合、この動作を行うことができる。
【００４３】
ユーザーの快適ゾーンを定義する代わりに、平均または推定された快適ゾーンを使用することができる。あるいは、「サマーモード」および「ウィンターモード」が使用されてもよい。例えば、「サマーモード」において、材料から水を脱着させることにより、冷却が好ましいはずであり、一方、ウィンターモードでは、材料に水を吸着させることにより、加熱が好ましいはずであると仮定してもよい。
【００４４】
本発明の全てのモードにおいて、吸湿性材料は、概して１日の期間にわたって「再生」されなければならない。材料を使用して空気を湿らせ／冷やすと、その後徐々にその水分含有量が失われ、処理が繰り返された場合には交換する必要がある。これは、一般に、周囲空気のＲＨが増加する（露が落ちるときに１００％に達する）夜間に行うことができる。材料がこの湿気を空気から吸収すると、それは加熱されるが、このように加熱された空気は建物の外に押し出され、さらに気流が長時間にわたって発生する可能性がある。これは、夜の空気それ自体が一般により冷たくなり、かつ、大量の冷たい空気と吸湿性材料との間の熱伝達がその湿気吸収の加熱効果を埋め合わせるために使用され得るので、有用である。冬期または加熱が必要な場合は、すべての影響が反対方向に発生する。材料は徐々に湿気を吸収し、建物の加熱のために空気を加熱するが、翌日または次の加熱期間のために乾燥する必要があるだろう。したがって、ＲＨが低い日の間には、大量の空気を吸湿性材料に通して乾燥させることができ、かつ、夜間には、（例えば）内部の湿った空気を、吸湿性材料を通して除湿し加熱することができる。
【００４５】
軽量コンクリートブロックとしての組立体
１つの一般的な建築技法は、建築物の構造を形成するコンクリートまたは他の「骨格」（床／天井および柱）を含み、壁は軽量コンクリートブロックまたは他の非構造要素によって埋められている。これらの軽量コンクリートブロックは、低価格で壁を形成し、かつ重要でない構造の目的に合う。本発明の一実施形態では、新しい「軽量コンクリートブロック」が導入され、壁、床、天井、または他の建造物構成要素の任意の組み合わせに大量の多孔性の吸湿性材料を使用することを可能にする。当業者には理解されるだろうが、床および天井はまた、吸湿性材料のいくらかの部分を含んでいてもよく、または、タイル張り、コーティング、または構造的もしくは非構造的な構成要素として導入される他の方法において、使用されてもよい。唯一の要件は、吸湿性材料を含むために十分な体積の建築構造が作られるということである。
【００４６】
被包：
シーラー、エポキシ、上薬掛け、膜、フィルム、塗料などによる被包のための様々な方法がある。必要とされる実施形態に応じて、完全にまたは部分的に気密にすることができる。被包は、被包要素を１つ以上の建築要素に取り付けることによっても達成することができる。いくつかの実施形態では、材料は大部分または完全に気密性外被内に被包されるが、しかし、周囲空気との受動的交換が強制的な空気対流中の交換と比較して十分に小さくてもシステム性能にはほとんど影響を与えないので、これは厳密な要件ではない。
【００４７】
部分的に被包された実施形態の例は、図２および図９に見ることができる。
【００４８】
５．３．２熱および質量移動および貯蔵器効率のための大きな表面積
１．この方法の驚くべき有効性を理解する一つの方法は、多くの加熱装置が大きな温度差を必要とすることを考慮することである。例えば、効果的となるように、周囲に十分な熱を伝達するために、ラジエーターは６０度に、または加熱要素は６００度に保たれる場合がある。本発明の場合、圧倒的に大きな表面積が設けられているため、例えば、周囲に対する５度程度の温度差は、内部の空気全体をこの上昇または低下した温度にまで急速に加熱または冷却することによって、建物にいる人に快適な温度を提供するのに十分である場合がある。熱伝達に必要とされる低い温度差は、温度差が「最後まで」使用されうるという意味で、エネルギー貯蔵器の「より深い」使用を可能にする。他の方法はより高い温度差を必要とし、そうする際に熱損失があり、同様に温度差が小さい時には効率が損われる。
２．熱伝達および湿気の吸収と脱着が、壁天井や床などの表面に自然に生じる。
システムの応答時間は、特に低温中および湿度の差異においてはシステム効率が不可欠である。空気が材料の内部で流れることを可能にすることによって、利用可能な表面積を大幅に拡大することが可能である（以下の５．３．３、三次元構造において後述する）。
これにより、我々が知っている熱質量の効果、および、吸収と脱着の効果が劇的に増幅される。
【００４９】
５．３．３三次元構造
一実施形態では、ブロックなどの構築要素は、吸湿性材料が大きな割合で構成される。高度に多孔性の３Ｄ構造と組み合わされた有用な構造強度により、高い表面積および対応する蒸気質量移動と捕捉と熱伝達が可能になる。建築要素は、高強度かつ最適化された密度の３Ｄ構造で形成されているが、同時に高表面積で形成される。建築要素の内部構造には、急速な拡散、吸着、および湿気の放出のための三次元空気経路が含まれる。これは、例えば、動脈／静脈系、肺、樹木の根または枝、および相間交換のために大きな表面積を必要とする他の系で見られるような、粗−細（ｃｏａｒｓｅ−ｔｏ−ｆｉｎｅ）経路のネットワークによって達成される。この配置は、例えば、現在用いられている球のランダムネットワークよりも高い表面積を可能にするだろう。
【００５０】
本発明は、周囲の状態によって動力を供給される密閉された熱によって動かされる吸収−放出構築要素を製造することを可能にする、従来の構造技術を使用することができる。
【００５１】
５．３．４湿度バランス
本発明の一実施形態では、吸湿性材料は、温度を制御するだけでなく、室内の湿度を制御するためにも使用される。例えば、暑い日には、熱に対する感覚が、高い湿度によって増す。「快適ゾーン」はこれを考慮に入れ、より高い温度が快適に保たれるためにより低い湿度を必要とする。冷却のために、本発明は、吸湿性材料と接触する空気の湿度を増加させる必要があるので、周囲（外部）の空気を吸湿性の質量を通して外側に戻してもよく、壁／床／天井を冷却させることが可能になり、一方では余分な湿気を導入しない。
【００５２】
５．３．５異なる実施形態としての組立体
本発明の実施形態の特定のいくつかのケースは次のとおりである：
１．（ｉ）冷却／加熱を提供する壁（図３および図５）
（ｉｉ）床下式の冷却／加熱を提供する床のタイル（図４、図６、図７）
２．夜には湿気を吸収し、昼には蒸発させ、これによりタイルを低温に維持するタイル。一実施形態では、全開システムが使用される。
３．内部または外部の追加の要素
既に建造されている建物の場合には、または他の理由から、本発明の一実施形態は、壁天井または床に加えられる要素を使用する。これらの要素はまた、協働して作動するか、または他の要素とは別々に、自動で作動することができる。
【００５３】
５．３．５．１屋根の下の吸収屋根板および吸収層
家の中への、およびその家からの主な熱伝達は、屋根で生じる。屋根の下の吸収屋根板（図９）と屋根の下の吸収層（図２）は、建物の外被を通る熱伝達を大きく改善することができ、それによって加熱および冷却のコストを削減することができる。
【００５４】
多くの屋根が、その粘土材料により既にある程度の湿度吸収を有するセラミックの屋根板から作られる。著しい量の湿度を吸湿および脱湿し、それによりそれぞれ加熱および冷却することができる、新規な高い吸収および表面積の屋根板を提案する。一実施形態では、システムは、制御される必要なしに、別記されるような日内の湿度および温度の変化を使用可能であるだろう。
【００５５】
５．３．５．２家具
建築要素における吸収材料の一体化は、単なる１つの可能な本発明の実施形態である。
さらに、それを家具などの他の要素に一体化することが可能である。例えば、寸法０．５ｍ×０．６ｍ、長さ３ｍの、壁の側にある大きなベンチは０．９ｍ３の容積を含む。この体積が、高度な吸収材料で主として構成される場合、それは空気から、およびその空気へと、実際的に１００ｋｇの水を吸収し脱着することができるだろう。エネルギーに関しては、これは各サイクルの約１００ＫＷｈである。一シーズンで数回の完全なサイクルがあると仮定すると、このエネルギー量は部屋の最大限に冷却および加熱する要件には十分であるだろう。
【００５６】
この種の要素は、エアコンが一体化されるように、構造への変更なしで一体化されるので、既存の住居において一体化することができる。
【００５７】
５．３．６建物の１メートル当たりの量的例
吸着または放出される水１ｋｇ当たりの熱放出／吸収量は約１ｋｗｈ／ｋｇ水であり、建築材料の立方メートル当たり数百キログラムの水が、多孔率、表面積、および吸湿性材料の特性に応じて吸収され得る。年間加熱負荷が約２０ＫＷｈ／ｍ＾２（例えば、地中海性気候の場合）でありうると考えられる場合、エアコン１年間に相当する貯水は、貯水量約３３ｋｇ／ｍ＾２であり、通常の材料、および、例えば３０ｃｍの厚い壁で実際に達成しうる（乾燥剤中に１００ｇ／ｋｇの貯水と仮定）。さらに、加熱／冷却のために必要なエネルギーは、より短い時間にわたる変動、例えば、１日でも有効に活用することができるので、一年間にわたり貯めておかなくともよい。
【００５８】
５．４  壁組立体の詳細な実施形態
物理的なシステムの可能な実施形態は図１０に示されている：
実施形態の主要部分は、建物の一部（１）、壁部（２）を構成するが、しかし、他の可能な実施形態は、既存の壁に取り外し可能なパネルを使用して構築することができる。壁部（２）は、ペンキ、プラスチックまたは上薬掛けの何らかの形式のなどの、湿度遮断材料で被包される。壁の被包された部分では、多孔性の吸湿性材料（５）が、ほとんどの壁部体積を埋めている。
【００５９】
材料は、材料を通る表面積および気流を最大にするだろう幾何学的パターン（ジグザグまたは角など、図示せず）で配置することができる。
【００６０】
建物内部（６）に面する壁の部分には、建物内部への、および、内部からの気流を可能にする、２つの通気口で高所の通気口（１１）と低所の通気口（１３）がある。これらの通気口は２つの対応する切り替え可能なバルブ（１０）および（１２）によって制御される。
【００６１】
建物外部（７）に面する壁の部分にはまた、建物外部への、および、外部からの気流を可能にする、２つの通気口で高所の通気口（３）と低所の通気口（４）がある。上部の通気口は、空気を両方向に、または、外から内へ（通気口（１５）から通気口（３）へ）、または、内から外へ（通気口（３）から通気口（１５）へ）押し込むことができる、送風システムであるファン（１４）に連結される。
【００６２】
ファン（１４）は通気口の中の通路を最小化するために切ることができる。より切り換え可能なバルブが追加されることができ、すなわち、壁の内部の湿度条件をさらに良好に制御するために、ファン（１４）に連結することができるが、これらは基本的な使用例については重要ではない。
【００６３】
外部空気の温度および湿度は、温度および湿度のセンサー（２０）を使用してモニタリングされる。
【００６４】
低所の内部通気口（１３）の中の空気の温度および湿度もまた、温度および湿度のセンサー（２２）を使用してモニタリングされる。
【００６５】
建物の内部の空気の温度および湿度は、建物の内部に置かれ内部空気に接する、温度および湿度のセンサー（２３）を使用してモニタリングされる。
【００６６】
空気は、切り替え可能なバルブ（１０、１２、１６）の（開／閉）状態とファン（１４）の（空気の押し入れ、空気の吸い出し、遮断）状態の様々な組み合わせによって指示されるいくつかの異なる経路における吸湿性質量を通って流れることができる。特定の経路は、センサー（１９、２０、２１、２２、２３）の読み取り値と、ユーザーによって設定された一般モード（冷却／サマーモードまたは暖房／ウィンターモード）とに基づくスキームを使用して決定されるか、または、現地の天気予報とユーザーの使用パターンを考慮した制御アルゴリズムにより決定される。単純な決定スキームの一例は、（サマー／冷却モードについては）図１１中に、（ウィンター／加熱モードについては）図１２中に、以下の通気経路および定義に基づいて、示されている。
【００６７】
パラメーターの定義：
建物内部についての快適な温度範囲：Ｔｃ  ｍｉｎからＴｃ  ｍａｘまで。
センサー（２３）から与えられる、建物の内部の温度：Ｔｂ。
センサー（２０）から与えられる、外部（周囲）の温度および湿度：温度についてはＴａ、相対湿度についてはＨｍ。
センサー（２１）から与えられる、通気口（１７）上の気温：Ｔｏｕｔ。
センサー（２２）から与えられる、通気口（１３）上の気温：Ｔｉｎ。
Ｔｉｎは、活性気流の数分後、アクティブモード中に測定することができる。
センサー（１９）から与えられる、吸湿性材料の温度および相対湿度：温度についてはＴａ、相対湿度についてはＨｍ。
このセンサー（１９）は、吸湿性材料の状態を直接的にチェックすることによってというよりは、吸湿性材料が冷却しているか（Ｔｂ＞Ｔｉｎ）または加熱しているか（Ｔｂ＜Ｔｉｎ）を測定するためにＴｂとＴｉｎを比較することによって、一定の構成において省略することができる。
【００６８】
可能な気流通路およびシステムモードの定義：
１．アクティブモード：
バルブ（１０）および（１６）は閉まっている。空気は通気口（１５）から入り、起動されたファン（１４）を通過し、通気口（４）を通って吸湿性材料に通じ、通気口（１３）および開放バルブ（１２）から建物内へと出る。
２．受動モード：
バルブ１２および１６は閉まっている。ファン（１４）は、空気を建物に押し込み、吸湿性材料、通気口（３）および（１１）、ならびに開放バルブ（１０）を通過させない。
３．再生モード：
両方の内部のバルブ（１０および１２）は閉まっており、かつ、ファン（１４）は吸湿性材料へ、かつ開放バルブ（１６）の外に、空気を押し込む。
４．貯蔵モード：
バルブはすべて閉まっており、ファンが切られる。
【００６９】
Ｔｉｎがどれほどかを確認するために、システムが数分間アクティブモードでなければならないことに留意されたい。より精巧なシステムが通気口（１１、１３、１５、１７）のそれぞれにファンおよびバルブを設けることにより、達成することができる。それは、以下のような他の気流通路を可能にするだろう：
５．内部再生／起動モード：
２つの内部ファンは、高所／低所の内部の開口部から空気を吸い込み、空気を吸湿性材料に押し込み、そして低所／高所の内部の開口部から建物へと戻すために、一斉に働く。
２つの外部ファンは遮断され、かつ、２つの外部バルブが閉じられる。正確な経路（低い方から高い方へ、高い方から低い方へ）は、ファンの負荷を軽減したり、特定の条件下で完全に無効にするために、空気の対流力（熱気の上昇、冷気の沈下）の寄与を利用するよう選択することができる。
６．対流冷却モード：
ファンはすべて切られている。上部の外部バルブおよび下部の内部バルブは開いている。吸湿性材料の中で冷却された空気は、そのより高い密度により、下方へ流れるだろうし、建物を冷やす受動的な空気の動きを作り出す。この受動的な動きもまた、ファンのうちのいくつかを起動することにより支援することができる。
７．対流加熱モード：
ファンはすべて切られている。低所の外部バルブおよび高所の内部バルブは開いている。吸湿性材料の中で加熱された空気は、そのより低い密度により、上方へ流れるだろうし、建物を温める受動的な空気の動きを作り出す。この受動的な動きもまた、ファンのうちのいくつかを起動することにより支援することができる。
【００７０】
湿度冷却閾値：
湿度交換を使用して建物を冷却するためには、吸湿性材料は流入空気と比較して「十分」湿っていなければならず、それにより流入空気は吸湿性材料から水を蒸発させ、流入空気および材料それ自体の冷却をもたらす。この場合、「十分」とは、吸湿性材料と平衡する蒸気圧中の空気が、（家の外から、または家の中から）組立体に入る空気よりも湿っている場合である。
【００７１】
湿度加熱閾値：
湿度交換を使用して建物を加熱するためには、吸湿性材料は流入空気と比較して「十分」乾燥していなければならず、それにより流入空気は吸湿性材料から水を蒸発させ、流入空気および材料それ自体の加熱をもたらす。この場合、「十分」とは、吸湿性材料と平衡する蒸気圧中の空気が、（家の外から、または家の中から）組立体に入る空気よりも湿っていない場合である。
【００７２】
より高度な制御スキームは、下記の１つ以上を組み合わせることにより、ユーザー体験をさらに増強するために計画することができる：
＊  気象条件の将来予測。
＊  ユーザーの通常の行動パターン（業務時間、週末など）。
＊  ユーザーの特別の要件（家での病気、親族訪問、子どもの誕生）。
＊  蓄積された使用データに基づいた、システム挙動に関する予測。
【図１】
2018524540.tif 000003
【図２】
2018524540.tif 000004
【図３】
2018524540.tif 000005
【図４】
2018524540.tif 000006
【図５】
2018524540.tif 000007
【図６】
2018524540.tif 000008
【図７】
2018524540.tif 000009
【図８】
2018524540.tif 000010
【図９】
2018524540.tif 000011
【図１０】
2018524540.tif 000012
【図１１】
2018524540.tif 000013
【図１２】
2018524540.tif 000014
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
所与の化学ポテンシャルでの材料の冷却、加熱、加湿、除湿、および、貯蔵を可能にして、これらの操作の将来の使用を可能にし、周囲の湿度変動を動力とする、湿度依存的空調システムであって、該システムは：
（ａ）ある量の吸湿性材料を包む組立体と；
（ｂ）前記吸湿性材料の化学ポテンシャル、前記組立体の熱質量、および、前記組立体の温度の両方を推定する手段と；
（ｃ）センサーデータ、統計データ、地域気象データ、および履歴データからなる群から選択される手段によって周囲の湿度および温度の状態の推定値を生成する手段と；
（ｄ）適切な時間に湿度および温度の選択される状態を有する第１の気流に、前記吸湿性材料を曝すための手段であって、該手段は、
（ｉ）前記吸湿性材料から前記気流へと湿気を放出し、それにより、前記吸湿性材料および前記気流に対する加湿効果および冷却効果を生じさせ；または
（ｉｉ）前記気流から前記吸湿性材料へと湿気を吸収し、それにより、前記材料および気流に対する除湿効果および加熱効果を生じさせる、手段と；
（ｅ）温度および湿度の選択される状態を有する第２の気流へ前記吸湿性材料を曝すための手段であって、該手段は、
（ｉ）周囲から水分を吸収し、それにより、将来の冷却および／または加湿のために吸湿性材料を再生する；または
（ｉｉ）周囲に水分を放出し、それにより、将来の加熱および／または除湿のために要素を再生する、手段と；
（ｆ）先述の冷却、加熱、加湿または除湿の操作を所望のとおり実行するように前記推定値を使用するように適合された起動および再生の制御手段と、を含み、
１つの吸収貯蔵器を有する単一の物理的機構は、外部の熱源、水源または他の操作を必要とすることなく、ある量の空気および吸湿性材料を加熱、冷却、加湿または除湿するために、湿度および温度の周囲の状態を利用し、空気の顕熱とその中の水の潜熱の両方を利用する、ことを特徴とするシステム。
【請求項２】
前記組立体は、前記建物の壁の一部、前記建物の床の一部、前記建物の天井の一部、前記建物の屋根の一部、前記建物内の音響要素の一部、からなる群から選択される建物の一部を形成し、該システムはさらに、
（ａ）建物へと一体化された少なくとも１つの組立体であって、前記組立体は、気流経路の配置に露出するある量の吸湿性材料の量を含み、前記組立体は、前記吸湿性材料と建物の外側の空気との間の湿度交換を防ぐために少なくとも部分的に被包される前記組立体と；
（ｂ）前記組立体に関連し、前記気流経路と建物の外側の周囲空気との間の気流通路を画定する、第１および第２の外部通気口であって、前記気流経路を経由して前記組立体内で相互に接続する第１および第２の外部通気口と；
（ｃ）前記組立体に関連し、前記気流経路と建物の内側の空気との間の気流通路を画定する、内部通気口と；および、
（ｄ）前記第１および第２の外部通気口および前記内部通気口と関連する気流制御システムであって、前記気流制御システムは、少なくとも１つのファンを含む送風機装置と、および複数の切り替え可能な気流バルブを含む切り換え装置を含み、前記気流制御システムは：
（ｉ）第１の状態であって、前記送風機装置が周囲空気を循環させて、前記内部通気口が閉じられている間、前記外部通気口のうちの１つを通って中へ、前記気流通路に沿って、かつ、前記外部通気口のもう一つを通って外に流れさせ、それにより、周囲空気と吸湿性材料との間の湿気交換を促進する、第１の状態と；および、
（ｉｉ）第２の状態であって、前記送風機装置が周囲空気を循環させて、第２の前記外部通気口が閉じられている間、第１の前記外部通気口を通って中へ、前記気流通路に沿って、かつ、前記内部通気口を通って外に流れさせ、それにより、湿度調整および温度調整をされた空気を建物へと導入する、第２の状態と；
を選択的に仮定する気流制御システムと、を含み、それにより、大きな加熱効果のために大きな表面積を適度に加熱することができ、必要な量および建材の節約を可能にし、かつ、いくつかの前記状態によって、空気交換が望ましくないときに、調整された周囲空気を導入することと、および、放射／伝導熱伝達との選択を可能にすることを特徴とする、請求項１に記載のシステム。
【請求項３】
ａ．前記建物内の空気の温度および湿度を感知するために配備される温度センサーおよび湿度センサーを少なくとも含む内部センサーセットと；
ｂ．前記建物外の周囲空気の温度および湿度を感知するために配備される温度センサーおよび湿度センサーを少なくとも含む外部センサーセットと；および、
ｃ．少なくとも１つのプロセッサを含む制御装置であって、
前記制御装置は、前記内部温度と湿度、および前記外部温度と湿度を示す信号を受信するために、前記内部センサーセットおよび前記外部センサーセットと関連し、
前記制御装置は、前記気流システムに動作可能に連結して、前記気流システムを、前記第１の状態と、前記第２の状態と、および前記組立体を通る気流が防止される第３の状態とに切り替えさせる制御装置と；をさらに含むことを特徴とする、請求項２に記載のシステム。
【請求項４】
前記制御装置は、次に予期される要求を、加熱要求または冷却要求のいずれかとして定義するように構成され、前記制御装置は、前記次に予期される要求に応じて、加熱サイクルアルゴリズムまたは冷却サイクルアルゴリズムを選択的に動作することを特徴とする、請求項３に記載のシステム。
【請求項５】
前記制御装置は、戸外の湿度をモニターすることを含む、加熱サイクルモードにおいて選択的に動作するように構成され、かつ、戸外の湿度が下側閾値よりも下回る時、前記第１の状態において気流制御システムを実行させて、前記吸湿性材料の湿気含有量を減少させることを特徴とする、請求項３に記載のシステム。
【請求項６】
前記制御装置は、戸外の湿度をモニターすることを含む、冷却サイクルモードにおいて選択的に動作するように構成され、かつ、戸外の湿度が上側閾値を超過する時、前記第１の状態において気流制御システムを実行させて、前記吸湿性材料の湿気含有量を増大させることを特徴とする、請求項３に記載のシステム。
【請求項７】
前記制御装置と関連し、かつ、前記組立体内の空気の湿度を感知するために配備される湿度センサーであって、上側閾値および下側閾値は、前記組立体内の空気の前記湿度から少なくとも部分的に導かれる、湿度センサーをさらに含むことを特徴とする、請求項４に記載のシステム。
【請求項８】
前記組立体と流体連通する第２の内部通気口と、および、前記気流経路を経由して前記組立体内で相互に接続する２つの前記内部通気口と、をさらに含むシステムであって、前記制御装置はさらに、前記気流制御システムを第４の状態に選択的に切り替えるよう構成され、この第４の状態では、前記送風機装置が空気を建物内部から循環させて、前記第１および第２の前記外部通気口が閉じられている間、前記内部通気口を通って中へ、前記気流通路に沿って、かつ、もう一つの前記内部通気口を通って外に流れさせ、それにより、建物内の空気の温度および／または湿度を調節し、大きな加熱効果のために大きな表面積を適度に加熱することができ、必要な量および建材の節約を可能にし、かつ、いくつかの前記状態によって、空気交換が望ましくないときに、調整された周囲空気を導入することと、および、放射／伝導熱伝達との選択を可能にすることを特徴とする、請求項１に記載のシステム。
【請求項９】
前記制御装置は、
ａ．現在の室内温度と目標温度範囲とを比較し；
ｂ．前記現在の室内温度が前記目標温度範囲を上回る時に、前記周囲空気湿度についての冷却閾値を決定し、かつ、周囲空気湿度が閾値を下回っている場合、前記気流制御システムを実行させて、前記気流経路を通り前記内部通気口を経由して建物内へと気流を発生させる、
ように構成されていることを特徴とする、請求項３に記載のシステム。
【請求項１０】
前記制御装置は、
ａ．現在の室内温度と目標温度範囲とを比較し；
ｂ．前記現在の室内温度が前記目標温度範囲を下回る時に、前記周囲空気湿度についての加熱閾値を決定し、かつ、前記周囲空気湿度が閾値を上回っている場合、前記気流制御システムを実行させて、前記気流経路を通り前記内部通気口を経由して建物内へと気流を発生させる、
ように構成されていることを特徴とする、請求項３に記載のシステム。
【請求項１１】
建物の内部に面している前記組立体の表面の少なくとも１５％は、建物内部の空気に曝される多孔質表面として実装され、したがって、前記吸湿性材料から建物内部の空気への空気および水蒸気の受動的な移動が可能になることを特徴とする、請求項２に記載のシステム。
【請求項１２】
建物の内部に面する前記組立体の表面は被包されて、前記吸湿性材料から建物内部の空気への空気および水蒸気の受動的な移動を防止することを特徴とする、請求項２に記載のシステム。
【請求項１３】
前記吸湿性材料は、液体の乾燥剤であり、環境条件によって加熱され、冷却され、希釈され、または、濃縮され、以下のうち１つ以上の方法で、熱交換および熱と質量との交換を可能にし、該方法は、
ａ．ｉ．熱伝達のための大きな表面積を有する内壁であって、小さな温度差の使用を可能にする、内壁と、
ｉｉ．熱および物質伝達のためのさらに大きな表面積を有し、建物外被を冷却または加熱することができる外壁と、
ｉｉｉ．周囲の暑い空気、冷たい空気、乾燥した空気、または湿った空気を利用するとともに、太陽からのエネルギーおよび夜間の空への輻射を利用するオプションを有する屋根と、
からなる群から選択される様々な建物表面上に、前記液体を流しこむ方法と；
ｂ．ｉ．表面上に前記液体を流しこみ、液体の流れに垂直に空気を流しこむ手段と；
ｉｉ．前記液体に気流を拡散させるための手段を潜在的に使用して、前記液体に空気の流れを押し込む手段と、
ｉｉｉ．前記液体を空気の集まりに噴霧する手段と；
からなる群から選択される手段で、前記液体と周囲空気を接触させる方法と；
ｃ．熱交換器による物質交換なしに熱交換させる方法と；
ｄ．上記の１つ以上の複数の熱および質量交換ユニットを組み合わせる方法であって、それにより、室内または戸外であろうと、最良の利用可能な状態を使用するための共通の貯蔵器を可能にし、それにより、貯蔵、再生、直接冷却および加熱を可能にする方法、であることを特徴とする、請求項１に記載のシステム。
【請求項１４】
床の下に前記液体を圧送するための手段と；温室を加湿しかつ乾燥させるための手段と；加熱ヒートポンプを予冷および／または予熱するために、前記液体の乾燥剤を使用する手段と、からなる群から選択される手段をさらに含むことを特徴とする、請求項１３に記載のシステム。
【請求項１５】
周囲空気の湿度変動は、
ａ．廃熱と；
ｂ．ヒートポンプ、ＨＶＡＣ装置または他の供給源から誘導された熱と；
ｃ．ソーラーパネル、オーブン、炉、または他の供給源によって乾燥し除湿された空気と；
ｄ．加湿後のヒートポンピングのオプションで、加湿された空気と；
ｅ．加水と；
ｆ．オフピーク低コストエネルギーを用いて乾燥させ、それにより、このエネルギーをハイピーク使用のために貯蔵し、グリッド安定化に寄与すること；によって増大する可能性があり、
それにより、経済的利益および操作信頼度を与える、広範囲のエネルギー源、および、エネルギーを貯蔵し、グリッドを安定させる可能性を開発することを特徴とする、請求項１に記載のシステム。
【請求項１６】
乾燥剤は、固体の乾燥剤と；液体溶液中の乾燥剤と；固体粒子に含浸された液体溶液中の乾燥剤と；
乾燥剤固体または液体溶液を含浸させた厚紙と；乾燥剤固体を備える、または、液体溶液が含浸された、断熱繊維と；乾燥剤の固体または液体溶液を含浸させた断熱性材料であって、それにより、活性断熱の実装を可能にする断熱性材料と；からなる群から選択されることを特徴とする、請求項１に記載のシステム。
【請求項１７】
オーブンの操作によって生じる熱と湿度を安定させるシステムであって、該システムは：
ａ．気流経路の配置に露出されるある量の吸湿性材料を含む、少なくとも１つの組立体と；
ｂ．前記吸湿性材料を前記オーブンからの熱に曝して、それにより、前記吸湿性材料を加湿し、加熱し、かつ、乾燥する手段と；
ｃ．前記吸湿性材料および前記吸湿性材料の気流経路を、加熱された環境からの強制的または自然の気流に曝すための手段であって、
それにより、オーブンの長時間の使用を可能にし、前記オーブンが熱を生成するのを止める時に除湿および加熱をし、前記吸湿性材料の熱質量及び吸収特性を介して前記加熱された環境内の湿度及び温度を安定させる手段と；を含むことを特徴とする、システム。
【請求項１８】
ａ．加熱された環境からの空気を前記吸湿性材料および前記吸湿性材料気流経路に投入させる手段と；
ｂ．ｉ．吸収材料に関連する空気と、
ｉｉ．例えば加熱された環境の部屋の中の空気と、
の湿度および温度を推定する手段と；
ｃ．オーブンまたは他の加熱手段の動作を検出する手段と；
ｄ．少なくとも１台のプロセッサを含む制御装置であって、前記制御装置は、
ｉ．湿度と温度の前記推定と；
ｉｉ．オーブンまたは他の加熱手段の動作を検出する手段と；
ｉｉｉ．オーブンまたは他の加熱手段の動作を検出する手段と；
に関連し、前記制御装置は、加熱された環境からの空気を、前記吸湿性材料および前記吸湿性材料気流経路に投入させるための手段に動作可能に接続する、制御装置と；
をさらに含むことを特徴とする、請求項１７に記載のシステム。
【請求項１９】
冷却動力付きの湿度変動のための方法であって、該方法は：
ａ．隣接する通気領域内の空気に曝されたある量の吸湿性材料を供給する工程と；
ｂ．戸外の周囲空気または室内の空気を含む、前記通気領域内の空気および第２の領域内の空気の湿度をモニタリングする工程と；
ｃ．充填期間中に、周囲空気の湿度が通気領域の空気の湿度よりも高い時には、前記通気領域と前記第２の領域との間の空気の移動を生成し、かつ、前記第２の領域中の湿度が通気領域内の空気の湿度が下回った場合に、前記空気の移動を中断する工程と；および、
ｄ．冷却期間中に、前記第２の領域の湿度が通気領域の空気の湿度よりも低い時には、前記第２の領域と前記通気領域との間の空気の移動を生成し、かつ、前記第２の領域の湿度が通気領域内の空気の湿度を上回った場合に、前記空気の移動を中断する工程と：を含むことを特徴とする方法。
【請求項２０】
構造的構成要素は、吸湿性材料と組立体の外側の空気との間の湿度交換を防止するために被包される被包組立体の一部であり、通気領域は、組立体を通過する気流経路の配置であることを特徴とする、請求項２０に記載の方法。
【請求項２１】
構造的構成要素は建物の屋根構造の一部であり、通気領域は屋根の下の屋根空間であることを特徴とする、請求項２０に記載の方法。
【請求項２２】
加熱動力付きの湿度変動のための方法であって、該方法は：
ａ．隣接する通気領域内の空気に曝されたある量の吸湿性材料を供給する工程と；
ｂ．戸外の周囲空気または室内の空気を含む、前記通気領域内の空気および第２の領域内の空気の湿度をモニタリングする工程と；
ｃ．充填期間中に、前記第２の領域の湿度が通気領域の空気の湿度よりも低い時には、前記第２の領域と前記通気領域との間の空気の移動を生成し、かつ、前記第２の領域の湿度が通気領域内の空気の湿度を上回った場合に、前記空気の移動を中断する工程と：
ｄ．加熱期間中に、周囲空気の湿度が通気領域の空気の湿度よりも高い時には、前記第２の領域と前記通気領域との間の空気の移動を生成し、かつ、前記第２の領域の湿度が通気領域内の空気の湿度を下回った場合に、前記空気の移動を中断する工程と：
を含むことを特徴とする方法。
【請求項２３】
構造的構成要素は、吸湿性材料と組立体の外側の空気との間の湿度交換を防止するために被包される被包組立体の一部であり、通気領域は、組立体を通過する気流経路の配置であることを特徴とする、請求項２２に記載の方法。
【請求項２４】
構造的構成要素は建物の屋根構造の一部であり、通気領域は屋根の下の屋根空間であることを特徴とする、請求項２２に記載の方法。
【請求項２５】
加熱または冷却を、建物の外被または外部層上で能動的な遮断により行い、乾燥剤の溶液または固体乾燥剤の組立体を圧送し、それにより、小さな温度差を効果的に使用し、室内空気質に影響を与えることなく冷却および加熱を可能にすることを特徴とする、請求項１に記載のシステム。
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
蒸発性冷却および／または加湿のためのシステムであって、ある領域を調整するために利用可能かつ必要な時に、周囲の空気から湿気を収穫し、該システムは：
ａ．少なくとも、ある量の吸湿性材料と；
ｂ．前記吸湿性材料を通る気流を促進し、それにより前記吸湿性材料と前記気流との間の熱および質量の交換を可能にする手段と、
ｃ．センサーデータ、統計データ、地域気象データ、または履歴データからなる群から選択される手段によって、前記流入空気の水蒸気圧情報を得るための手段と；
ｄ．センサーデータ、統計データ、地域気象データ、または履歴データからなる群から選択された手段によって、前記吸湿性材料の上の水蒸気圧力として表現される、前記吸湿性材料の水飽和レベル情報を得るための手段と；前記気流の水蒸気圧が前記吸湿性材料の上の水蒸気圧より低い時に、冷却を提供するために前記気流を作動させるための手段と；
ｅ．前記気流の水蒸気圧が前記吸湿性材料の上の水蒸気圧より高い時に、水分の収穫のために前記気流を作動させるための手段と；を含み、
蒸発性冷却システムは、冷却のためだけでなく、湿った空気からの湿気の吸収にも使用され、それにより、外部の水分の追加要求を排除することを特徴とする、システム。
【請求項２】
吸収加熱および／または除湿のためのシステムであって、ある領域を調整するためにそれが利用可能かつ必要な時に、相対的に乾燥している環境の空気を使用して吸収性材料の乾燥を再生し、該システムは：
ａ．少なくとも、ある量の吸湿性材料と；
ｂ．前記吸湿性材料を通る気流を促進し、それにより前記吸湿性材料と前記気流との間の熱および質量の交換を可能にする手段と、
ｃ．センサーデータ、統計データ、地域気象データ、または履歴データからなる群から選択される手段によって、前記流入空気の水蒸気圧情報を得るための手段と；
ｄ．センサーデータ、統計データ、地域気象データ、または履歴データからなる群から選択された手段によって、前記吸湿性材料の上の水蒸気圧力として表現される、前記吸湿性材料の水飽和レベル情報を得るための手段と；
ｅ．前記気流の水蒸気圧が前記吸湿性材料の上の水蒸気圧より高い時に、加熱を提供するために前記気流を作動させるための手段と；
ｆ．前記気流の水蒸気圧が前記吸湿性材料の上の水蒸気圧より低い時に、吸湿性材料の乾燥状態を回復させるために前記気流を作動させるための手段と；を含み、
吸収加熱システムは加熱および回復のために湿気の変動を収穫し、それゆえ、気流を促進する手段または必要に応じて制御する手段に使用されるエネルギーを除き、外部エネルギーは必要ないことを特徴とする、システム。
【請求項３】
ａ．冷却が必要かどうか決定するための手段と；
ｂ．前記吸湿性材料を残して、調節されるべき前記領域または周囲のいずれかに、前記流出空気を導くための手段と、
ｃ．以下の手段と通信して、冷却サイクルアルゴリズムを作動させる制御装置であって、該手段は：
ｉ．前記吸湿性材料を通る気流を促進するための手段と；
ｉｉ．前記流入空気の水蒸気圧情報を得るための手段と；
ｉｉｉ．前記吸湿性材料の水飽和レベル情報を得るための手段と；
ｉｖ．冷却が必要かどうか決定するための手段と；
ｖ．前記流出空気を導くための手段；をさらに含み、
前記制御装置は、以下のモードの間に切り替わる冷却サイクルアルゴリズムを作動させる前記制御装置であり、該モードは：
１．冷却モードであって、前記制御装置が前記吸湿性材料を通る気流を促進するための前記手段を作動させ、かつ、前記流出空気を調節されるべき前記領域に導き、冷却が必要であり、かつ、前記流入空気の水蒸気圧が前記吸湿性材料の上の水蒸気圧よりも低い時に、動作する冷却モードと；
２．水分収穫モードであって、前記制御装置が前記吸湿性材料を通る気流を促進するための前記手段を作動させ、かつ、前記流出空気を周囲に導き、前記流入空気の水蒸気圧が前記吸湿性材料の上の水蒸気圧よりも高い時に、使用される水分収穫モードと；
３．待機モードであって、前記制御装置は、冷却が必要でなく、かつ、前記気流の前記水蒸気圧が前記吸湿性材料の上の前記水蒸気圧よりも低い時に、前記吸湿性材料を通る前記気流を停止させる待機モードと；である、制御装置と、
将来の使用のための、自動冷却、水分収穫、または冷却可能性の回復、をさらに含むことを特徴とする、請求項１に記載のシステム。
【請求項４】
ａ．加熱が必要かどうか決定するための手段と；
ｂ．前記吸湿性材料を残して、調節されるべき前記場所または周囲のいずれかに、前記流出空気を導くための手段と、
ｃ．少なくとも１つのプロセッサを含む、加熱サイクルアルゴリズムを作動させる制御装置であって、前記制御装置は以下の手段と通信し、該手段は：
ｉ．前記吸湿性材料を通る気流を促進するための手段と；
ｉｉ．前記流入空気の水蒸気圧情報を得るための手段と；
ｉｉｉ．前記吸湿性材料の水飽和レベル情報を得るための手段と；
ｉｖ．加熱が必要かどうか決定するための手段と；
ｖ．前記流出空気を導くための手段；をさらに含み、
前記制御装置は、以下のモードの間に切り替わる加熱サイクルアルゴリズムを作動させる前記制御装置であり、該モードは：
１．加熱モードであって、前記制御装置が前記吸湿性材料を通る気流を促進するための前記手段を作動させ、かつ、前記流出空気を調節されるべき前記場所に導き、加熱が必要であり、かつ、前記流入空気の水蒸気圧が吸湿性材料の上の水蒸気圧よりも高い時に、動作する加熱モードと；
２．乾燥モードであって、前記制御装置が前記吸湿性材料を通る気流を促進するための前記手段を作動させ、かつ、前記流出空気を周囲に導き、前記流入空気の水蒸気圧が前記吸湿性材料の上の水蒸気圧よりも低い時に、使用される乾燥モードと；
３．待機モードであって、前記制御装置は、加熱が必要でなく、かつ、前記気流の前記水蒸気圧が前記吸湿性材料の上の前記水蒸気圧よりも高い時に、前記吸湿性材料を通る前記気流を停止させる待機モードと；である、制御装置と、
将来の使用のための、自動加熱、乾燥による再生、または加熱可能性の回復、をさらに含むことを特徴とする、請求項２に記載のシステム。
【請求項５】
加熱が必要かどうか決定するための手段をさらに有し、前記制御装置と通信し、かつ、加熱サイクルアルゴリズムを作動させるようにさらに構成され、前記制御装置はさらに、以下のモードの間に切り替わる加熱サイクルアルゴリズムを作動させる前記制御装置であり、該モードは：
ａ．加熱モードであって、前記制御装置が前記吸湿性材料を通る気流を促進するための前記手段を作動させ、かつ、前記流出空気を調節されるべき前記場所に導き、加熱が必要であり、かつ、前記流入空気の水蒸気圧が吸湿性材料の上の水蒸気圧よりも高い時に、動作する加熱モードと；
ｂ．乾燥モードであって、前記制御装置が前記吸湿性材料を通る気流を促進するための前記手段を作動させ、かつ、前記流出空気を周囲に導き、前記流入空気の水蒸気圧が前記吸湿性材料の上の水蒸気圧よりも低い時に、使用される乾燥モードと；
ｃ．待機モードであって、前記制御装置は、加熱が必要でなく、かつ、前記気流の前記水蒸気圧が前記吸湿性材料の上の前記水蒸気圧よりも高い時に、前記吸湿性材料を通る前記気流を停止させる待機モードと；であり、
前記制御装置は、次に予期される要求を、加熱要求または冷却要求のいずれかとして決定するための手段を有し、前記制御装置は、前記加熱要求が決定される時には前記加熱サイクルアルゴリズムを選択的に作動させ、または、前記冷却要求が決定される時には、前記冷却サイクルアルゴリズムを選択的に作動させ、１つの吸収貯蔵器を有する単一の物理的機構は、外部の熱源または水源を必要とすることなく、ある量の空気および吸湿性材料を加熱、冷却、加湿または除湿するために、湿度および温度の周囲の状態を利用し、顕熱および潜熱の両方を利用する、ことを特徴とする、請求項３に記載のシステム。
【請求項６】
湿気および／または乾燥を貯蔵するために天然に存在する、温度および湿度における日内変動、季節変動、または年内変動を使用し、かつ、さらに随意に、廃熱、ヒートポンプの加熱由来の熱、ＨＶＡＣ、除湿された空気、ソーラーパネルによる乾燥、オーブン、炉、ストーブ、加湿された空気、水または水蒸気の付加、オフピーク低コストエネルギーを使用する乾燥、からなる群から選択される手段によりこれらの変動を増大させ、それにより、おそらくは廃熱エネルギーによって増強される自然の変動を使用して、湿度および温度における日内変動または季節変動までも緩和することを特徴とする、請求項５に記載のシステム。
【請求項７】
（ａ）建物へと一体化される、大きな表面積を有する少なくとも１つの組立体であって、多量の前記吸収性材料を含み、ある量の吸湿性材料は気流経路の配置に露出され、前記組立体は、前記吸湿性材料と建物の外側の空気との間の湿度交換を防ぐために、少なくとも部分的に被包されている少なくとも１つの組立体と；
（ｂ）前記組立体に関連し、前記気流経路と建物の外側の周囲空気との間の気流通路を画定する、第１および第２の外部通気口であって、前記気流経路を経由して前記組立体内で相互に接続する第１および第２の外部通気口と；
（ｃ）前記組立体に関連し、前記気流経路と前記建物の内側の空気との間の気流通路を画定する、内部通気口と；および、
（ｄ）少なくとも１つのファンを含む送風機装置と、複数の切り替え可能なフローバルブを含む切換装置と、を含む気流制御システムと；をさらに含み、
前記制御装置はさらに、前記第１および第２の外部通気口、前記内部通気口、および前記気流制御装置と関連し、前記制御装置は：
（ｉ）第１の状態であって、前記内部通気口が閉じられている間、前記送風機装置が周囲空気を、建物の外側から、前記外部通気口のうちの１つを通って、前記気流通路に沿って、かつ、前記外部通気口のもう一つを通って外へ流れさせ、
それにより、建物の外側の周囲空気と吸湿性材料との間の湿気交換を促進する、第１の状態と；および、
（ｉｉ）第２の状態であって、第２の前記内部通気口が閉じられている間、前記送風機装置が周囲空気を、建物の外側から、第１の前記外部通気口を通って、前記気流通路に沿って、かつ、前記内部通気口を通って循環させ、それにより、湿度調整および温度調整をされた空気を建物へと導入する、第２の状態と；および、
（ｉｉｉ）前記組立体を通る気流が防止される、第３の状態；を選択的に作動させるように構成され、
それにより、強制的対流熱伝達のための第２の状態を作動させることにより、または、空気交換が必要でない時には、放射／伝導性熱伝達のための第１の状態を起動させることによって、調節される周囲空気を導入する間の選択を可能にし、組立体の前記大きな表面積は、大きな熱伝達の効果のために、中程度の温度差の使用を可能にし；および、必要な体積と建築材料において節約が可能になることを特徴とする、請求項５に記載のシステム。
【請求項８】
前記組立体に関連し、前記気流経路と建物の内側の空気との間の気流通路を画定する、第２の内部通気口をさらに含み、２つの前記内部通気口は前記気流経路を経由して前記組立体内で相互に接続し、かつ、前記制御装置はさらに、前記気流制御システムを第４の状態に選択的に切り替えるよう構成され、この第４の状態では、前記送風機装置が空気を建物内部から循環させて、第１および第２の前記外部通気口が閉じられている間、前記内部通気口の一つを通って中へ、前記気流通路に沿って、かつ、前記内部通気口のもう一つを通って外に流れさせ、それにより、建物内の空気の温度および／または湿度を調節し、かつ、第１、第２および第４の状態の間で切り替わることによって、２つの可能な空気の供給源および吸い込みを利用し、組立体に流入する気流の源を選択する選択肢を有し、それが室内の空気であろうと屋外の空気であろうと、室内の空気をできるだけ望ましい温度および湿度の状態にさせることを特徴とする、請求項７に記載のシステム。
【請求項９】
温度と湿度の目標ゾーンを決定するための手段と、屋内の空気および前記組立体からの流出空気の温度および湿度を感知するための手段とをさらに有するシステムであって；前記制御装置はさらに、
ａ．前記室内空気と前記組立体からの前記流出空気との間の空気交換が、前記室内空気を、温度および湿度の前記目標ゾーンからかけ離れさせる時には、前記第１の状態を作動させ；
ｂ．前記室内空気と前記組立体からの流出空気との間の空気交換が、前記室内空気を、温度および湿度の前記目標ゾーンに近づける時には、前記第２の状態を作動させ；
ｃ．前記目標ゾーン内にある時には、前記第３の状態を作動させ；
ｄ．室内空気と前記吸湿性材料との間の湿気交換が、前記第２の状態が使用された場合よりも、内部の空気を、温度および湿度の所望の目標条件に近づける時には、前記第４の状態を作動させ；
どの状態を作動させるかを決定することを特徴とする、請求項８に記載のシステム。
【請求項１０】
大きな受動的内部通気口をさらに有し、建物の内部に面している前記組立体の表面の少なくとも１５％は、建物内部の空気に曝される多孔質表面として実装され、したがって、前記吸湿性材料から建物内部の空気への空気および水蒸気の受動的な移動が可能になることを特徴とする、請求項５に記載のシステム。
【請求項１１】
建物の内部に面する前記組立体の表面は被包されて、前記吸湿性材料から建物内部の空気への空気および水蒸気の受動的な移動を防止することを特徴とする、請求項７に記載のシステム。
【請求項１２】
前記組立体は、建物の壁の一部と；建物の床の一部と；建物の天井の一部と；建物の屋根の一部と；断熱材の一部と；建物内の、または家具として具体化される、防音要素の一部と、からなる群から選択される建物の一部を形成することを特徴とする、請求項７に記載のシステム。
【請求項１３】
前記システムによって調節される空気は、前記ヒートポンプに流入する空気を予め調整することにより、ヒートポンプの性能を改善させるために使用される、請求項５に記載のシステム。
【請求項１４】
個々の気流手段および水飽和レベル情報をそれぞれ有する、複数の多量の吸湿性材料を提供し、前記制御装置はさらに、様々な時に様々な吸湿性材料を選択的に起動し、再生させるように構成されて、システムの最良の性能を達成することを特徴とする、請求項５に記載のシステム。
【請求項１５】
建物内のピーク温度およびピーク湿度を安定させるために、ストーブの動作によって引き起こされる相対的な湿度および温度の変動を使用し；前記吸湿性材料の乾燥を再生するために使用される気流は、熱いストーブから来る熱く乾燥した空気を含み、それにより、熱エネルギーおよび潜在的な吸収エネルギーを貯蔵し、前記ストーブが作動を停止したときにそれを放出し、前記ストーブからの空気の温度が低下し、相対湿度が増加する時に第２の気流を使用することを特徴とする、請求項２に記載のシステム。
【請求項１６】
前記吸湿性材料は、湿度を吸収して液体乾燥剤になる可能性を有する、塩化カルシウムのような無機塩であり、前記無機塩は、環境状態によって、加熱、冷却、希釈、濃縮、または結晶化されることを特徴とする、請求項５に記載のシステム。
【請求項１７】
ａ．ｉ．熱伝達のための大きな表面積を有する内壁であって、小さな温度差の使用を可能にする、内壁と；
ｉｉ．熱および物質伝達のためのさらに大きな表面積を有し、建物外被を冷却または加熱することができる外壁と；
ｉｉｉ．屋根であって、周囲の熱い空気、冷たい空気、乾燥した空気、または湿った空気を使用するとともに、日中に差し込む輻射および夜間に空へ出ていく輻射を利用する屋根と；
からなる群から選択される様々な建物の表面上に前記液体を流し込む方法と；
ｂ．ｉ．表面上に前記液体を流しこみ、液体の流れに垂直に空気を流しこむ手段と；
ｉｉ．前記液体に気流を拡散させるための手段を潜在的に使用して、前記液体に空気の流れを押し込む手段と、
ｉｉｉ．前記液体を空気の集まりに噴霧する手段と；
からなる群から選択される手段によって、周囲空気を前記液体と接触させる方法と；
ｃ．熱交換器による質量交換なしに熱交換させる方法と；
ｄ．上記の１つ以上の複数の熱および質量交換ユニットを組み合わせる方法であって、それにより、最良の利用可能な状態を使用するための共通の貯蔵器を可能にし、それらが室内または戸外であろうと、それにより、貯蔵、再生、直接冷却および加熱を可能にする方法、のうち一つによって、熱交換、および／または、熱および質量の交換を可能にすることを特徴とする、請求項１６に記載のシステム。
【請求項１８】
床の下に前記液体を圧送するための手段と；温室を加湿しかつ乾燥させるための手段と；ヒートポンプを予冷および／または予熱するために、前記液体の乾燥剤を使用する手段と、からなる群から選択される手段をさらに含むことを特徴とする、請求項１７に記載のシステム。
【請求項１９】
冷却および／または加湿の動力付きの湿度変動のための方法であって、該方法は：
ａ．少なくとも、ある量の吸湿性材料を提供する工程と；
ｂ．センサーデータ、統計データ、地域気象データ、または履歴データからなる群から選択される手段によって、周囲空気、環境空気、または、調節されるべき領域内の空気でありうる、流入空気の水蒸気圧情報を得る工程と；
ｃ．センサーデータ、統計データ、地域気象データ、または履歴データからなる群から選択される手段によって、前記吸湿性材料の上の水蒸気圧力として表現される、前記吸湿性材料の水飽和レベル情報を得る工程と；
前記気流の水蒸気圧が前記吸湿性材料の上の水蒸気圧より低い時に、冷却を提供するために前記気流を作動させるための手段と；
ｄ．ｉ．水分収穫による再生の期間中に、流入空気の前記蒸気圧が前記吸湿性物質の上の前記水蒸気圧よりも高い時に、前記吸湿性物質を通る流入空気の気流を促進し、かつ、流入空気の前記蒸気圧が前記吸湿性物質の上の前記水蒸気圧を下回った場合に、前記気流を停止させ、および、
ｉｉ．冷却期間中に、流入空気の前記蒸気圧が前記吸湿性物質の上の前記水蒸気圧よりも低い時に、前記吸湿性物質を通る流入空気の気流を促進し、かつ、流入空気の前記蒸気圧が前記吸湿性物質の上の前記蒸気圧を上回った場合に、前記気流を停止させて、動作する、冷却サイクルアルゴリズムを作動させる工程と：を含むことを特徴とする、方法。
【請求項２０】
加熱および／または加湿の動力付きの湿度変動のための方法であって、該方法は：
ａ．少なくとも、ある量の吸湿性材料を提供する工程と；
ｂ．センサーデータ、統計データ、地域気象データ、または履歴データからなる群から選択される手段によって、周囲空気、環境空気、または、調節されるべき領域内の空気でありうる、流入空気の水蒸気圧情報を得る工程と；
ｃ．センサーデータ、統計データ、地域気象データ、または履歴データからなる群から選択される手段によって、前記吸湿性材料の上の水蒸気圧力として表現される、前記吸湿性材料の水飽和レベル情報を得る工程と；
前記気流の水蒸気圧が前記吸湿性材料の上の水蒸気圧より低い時に、冷却を提供するために前記気流を作動させるための手段と；
ｄ．ｉ．乾燥期間による再生中に、流入空気の前記蒸気圧が前記吸湿性物質の上の前記水蒸気圧よりも低い時に、前記吸湿性物質を通る前記流入空気の気流を促進し、かつ、流入空気の前記蒸気圧が前記吸湿性物質の上の前記蒸気圧を上回った場合に、前記気流を停止させ、および、
ｉｉ．冷却期間中に、流入空気の前記蒸気圧が前記吸湿性物質の上の前記水蒸気圧よりも高い時に、前記吸湿性物質を通る前記流入空気の気流を促進し、かつ、流入空気の前記蒸気圧が前記吸湿性物質の前記蒸気圧を下回った場合に、前記気流を停止させて、動作する、加熱サイクルアルゴリズムを作動させる工程と：を含むことを特徴とする、方法。
【請求項２１】
ｉ．乾燥期間による再生中に、流入空気の前記蒸気圧が前記吸湿性物質の上の前記水蒸気圧よりも低い時に、前記吸湿性物質を通る前記流入空気の気流を促進し、かつ、流入空気の前記蒸気圧が前記吸湿性物質の上の前記蒸気圧を上回った場合に、前記気流を停止させ、および、
ｉｉ．冷却期間中に、流入空気の前記蒸気圧が前記吸湿性物質の上の前記水蒸気圧よりも高い時に、前記吸湿性物質を通る前記流入空気の気流を促進し、かつ、前記流入空気の前記蒸気圧が前記吸湿性物質の前記蒸気圧を下回った場合に、前記気流を停止させて、動作する、加熱サイクルアルゴリズムをさらに作動させることを特徴とする、請求項１９に記載の方法。
【請求項２２】
ａ．手動選択、統計データ、履歴データ；
ｂ．センサーデータ、または地域気象データ、および予め定められた快適な温度および湿度のゾーン；
からなる群から選択される手段によって、前記冷却サイクルアルゴリズムまたは前記加熱サイクルアルゴリズムを作動させるかどうかを決定するための方法をさらに提供する、請求項２１に記載の方法。
【請求項２３】
前記制御装置は、前記吸湿性材料の熱質量を考慮して、前記加熱期間、冷却期間、乾燥期間による再生、または水分収穫期間による再生を作動させることで、前記室内空気または調節されるべき前記領域内の空気が、前記快適な温度および湿度のゾーンから近づくかかけ離れるかどうかを決定することを特徴とする、請求項２１に記載の方法。
【請求項２４】
湿気および／または乾燥を貯蔵するために自然に生じる、温度および湿度における日内変動、季節変動、または年内変動を使用し、かつ、さらに随意に、廃熱、ヒートポンプの加熱由来の熱、ＨＶＡＣ、除湿された空気、ソーラーパネルによる乾燥、オーブン、炉、ストーブ、加湿された空気、水または水蒸気の付加、オフピーク低コストエネルギーを使用する乾燥、からなる群から選択される手段によりこれらの変動を増大させ、それにより、おそらくは廃熱エネルギーによって増強される、後の使用のためにそのような変動の効果を貯蔵することによって、湿度および温度における日内変動または季節変動を緩和することを特徴とする、請求項２１に記載の方法。
【請求項２５】
前記流入空気、前記周囲空気、前記環境空気、または調節されるべき前記領域内の空気の供給源は、可能な時に、吸湿性材料を乾燥させ、または前記吸湿性材料から湿度を収穫する間に、温度および湿度の予め定められた基準に応じて、最良の性能をもたらす供給源として決定される、ことを特徴とする、請求項２１に記載の方法。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
建物の加熱および冷却の両方のための、吸収及び脱着システムであって、該システムは：
ａ）建物へ一体化された少なくとも１つの組立体であって、前記組立体は、気流経路の配置に露出するある量の吸湿性材料の量を含み、前記組立体は、建物の外側の前記吸湿性材料と空気との間の湿度交換を防ぐために少なくとも部分的に被包される前記組立体と；
ｂ）前記組立体に関連し、前記気流経路と建物の外側の周囲空気との間の気流通路を画定する第１および第２の外部通気口であって、前記気流経路を経由して前記組立体内で相互に接続する第１および第２の外部通気口と；
ｃ）前記組立体に関連し、前記気流経路と建物の内側の空気との間の気流通路を画定する、少なくとも一つの内部通気口と；および、
ｄ）前記第１および第２の外部通気口および前記内部通気口と関連する気流制御システムであって、前記気流制御システムは、少なくとも１つのファンを含む送風機装置と、および複数の切り替え可能な気流バルブを含む切り換え装置を含み、前記気流制御システムは：
ｉ．第１の状態であって、前記送風機装置が周囲空気を循環させて、前記内部通気口が閉じられている間、前記外部通気口のうちの１つを通って中へ、前記気流通路に沿って、かつ、前記外部通気口のもう一つを通って外に流れさせ、それにより、周囲空気と吸湿性材料との間の湿気交換を促進する、第１の状態と；および、
ｉｉ．第２の状態であって、前記送風機装置が周囲空気を循環させて、第２の前記外部通気口が閉じられている間、第１の前記外部通気口を通って中へ、前記気流通路に沿って、かつ、前記内部通気口を通って外に流れさせ、それにより、湿度調整および温度調整をされた空気を建物へと導入する、第２の状態と；を選択的に仮定するように構成される気流制御システムと、を含み、
それにより、
（Ａ）周囲空気が吸収性材料よりも乾燥している時に、前記気流の冷却および加湿、および、前記吸収性材料の乾燥；
（Ｂ）吸収性材料が周囲空気よりも乾燥している時に、前記気流の加熱および除湿、および、前記吸収性材料の吸湿；
という効果を可能にし、加熱、冷却、加湿、および除湿は、前記気流制御システムに必要なエネルギー以外の他の外部の水または他の外部のエネルギー源を使用することなく、前記周囲空気から収穫された湿気および乾燥の状態を使用して、得られ；かつ、前記吸湿性材料は、建物に一体化され、空間、コストを節約し、熱伝達効率および貯蔵器の効率が大幅に改善される、ことを特徴とする、システム。
【請求項２】
ａ）建物内の空気の温度および湿度を感知するために配備される温度センサーおよび湿度センサーを少なくとも含む内部センサーセットと；
ｂ）建物外の周囲空気の温度および湿度を感知するために配備される温度センサーおよび湿度センサーを少なくとも含む外部センサーセットと；および、
ｃ）少なくとも１つのプロセッサを含む制御装置であって、前記制御装置は、前記内部温度と湿度、および前記外部温度と湿度を示す信号を受信するために、前記内部センサーセットおよび前記外部センサーセットと関連し、前記制御装置は、前記気流システムに動作可能に連結して、前記気流システムを、前記第１の状態と、前記第２の状態と、および前記組立体を通る気流が防止される第３の状態とに切り替えさせる制御装置と；をさらに含むことを特徴とする、請求項１に記載のシステム。
【請求項３】
前記制御装置は、次に予期される要求を、加熱要求または冷却要求のいずれかとして定義するように構成され、前記制御装置は、前記次に予期される要求に応じて、加熱サイクルアルゴリズムまたは冷却サイクルアルゴリズムを選択的に動作することを特徴とする、請求項２に記載のシステム。
【請求項４】
前記制御装置は、戸外の湿度をモニタリングすることを含む、加熱サイクルモードにおいて選択的に動作するように構成され、かつ、戸外の湿度が下側閾値よりも下に下がる時、前記第１の状態において気流制御システムを実行させて、前記吸湿性材料の湿気含有量を減少させることを特徴とする、請求項２に記載のシステム。
【請求項５】
前記制御装置は、戸外の湿度をモニタリングすることを含む、冷却サイクルモードにおいて選択的に動作するように構成され、かつ、戸外の湿度が上側閾値よりも超過する時、前記第１の状態において気流制御システムを実行させて、前記吸湿性材料の湿気含有量を増大させることを特徴とする、請求項２に記載のシステム。
【請求項６】
前記制御装置と関連し、かつ、前記組立体内の空気の湿度を感知するために配備される湿度センサーであって、上側閾値および下側閾値は、前記組立体内の空気の前記湿度から少なくとも部分的に導かれる、湿度センサーをさらに含むことを特徴とする、請求項３に記載のシステム。
【請求項７】
前記組立体と関連し、前記気流経路と建物内部の空気との間に空気通路を画定する第２の内部通気口であって、２つの内部通気口は前記気流経路を経由して前記組立体内で相互に接続し、かつ、前記制御装置はさらに、前記気流制御システムを第４の状態に選択的に切り替えるよう構成され、この第４の状態では、前記送風機装置が空気を建物内部から循環させて、前記第１および第２の前記外部通気口が閉じられている間、前記内部通気口を通って中へ、前記気流通路に沿って、かつ、前記内部通気口を通って外に流れさせ、それにより、建物内部の空気の温度および／または湿度を修正する、第２の内部通気口をさらに含むことを特徴とする、請求項２に記載のシステム。
【請求項８】
前記気流制御システムは、
（ａ）空気を外側から外側に押し込み；
（ｂ）空気を内側から内側に押し込み；
（ｃ）空気を外側から内側に押し込み；
（ｄ）空気を内側から外側に押し込み；
（ｅ）一時停止させる；
との、５つの取りうる動作を可能にするように構成され、
前記制御装置は上述の５つの可能な動作の予期される効果を測定し、これらの動作のうち１つが内部の状態を予め定められた快適ゾーン状態に近づけることが分かった場合、この動作が行われることを特徴とする、請求項７に記載のシステム。
【請求項９】
前記制御装置は、
ａ）現在の室内温度と目標温度範囲とを比較し；
ｂ）前記現在の室内温度が前記目標温度範囲を超えた時に、前記周囲空気湿度についての冷却閾値を決定し、かつ、周囲空気湿度が閾値を下回っている場合、前記気流制御システムを実行させて、前記気流経路を通り前記内部通気口を経由して建物内へと気流を発生させる、ように構成されていることを特徴とする、請求項２に記載のシステム。
【請求項１０】
前記制御装置は、
ａ）現在の室内温度と目標温度範囲とを比較し；
ｂ）前記現在の室内温度が前記目標温度範囲を下回る時に、前記周囲空気湿度についての加熱閾値を決定し、かつ、前記周囲空気湿度が閾値を上回っている場合、前記気流制御システムを実行させて、前記気流経路を通り前記内部通気口を経由して建物内へと気流を発生させる、ように構成されていることを特徴とする、請求項２に記載のシステム。
【請求項１１】
建物の内部に面している前記組立体の表面の少なくとも１５％は、建物内部の空気に曝された多孔質表面として実装され、したがって、前記吸湿性材料から建物内部の空気への空気および水蒸気の受動的な移動が可能になることを特徴とする、請求項１に記載のシステム。
【請求項１２】
建物の内部に面する前記組立体の表面は被包されて、前記吸湿性材料から建物内部の空気への空気および水蒸気の受動的な移動を防止することを特徴とする、請求項１に記載のシステム。
【請求項１３】
前記組立体は、家具または屋根板としての、建物の壁の一部；建物の床の一部；建物の天井の一部；建物の屋根の一部、からなる群から選択される建物の部分を形成することを特徴とする、請求項１に記載のシステム。
【請求項１４】
吸湿性材料は、セルロース；塩化カルシウム；セルロースとの塩化カルシウム混合物、からなる群から選択されることを特徴とする、請求項２に記載のシステム。
【請求項１５】
建物の少なくとも一部の湿気増強冷却のための方法であって、該方法は、
ａ）建物に一体化された少なくとも１つの構造的構成要素を提供する工程であって、前記構造的構成要素は、隣接する通気領域内の空気に曝されるある量の吸湿性材料を含む工程と；
ｂ）通気領域中の空気、および周囲空気の湿度をモニタリングする工程と；
ｃ）冷却のための充填期間中に、周囲空気の湿度が通気領域の空気の湿度よりも高い時には、周囲空気と通気領域との間の空気の移動を生成し、かつ、周囲空気中の湿度が通気領域内の空気の湿度を下回った場合に、前記空気の移動を中断する工程と；および、
ｄ）冷却期間中に、周囲空気の湿度が通気領域の空気の湿度よりも低い時には、周囲空気と通気領域との間の空気の移動を生成し、かつ、周囲空気の湿度が通気領域内の空気の湿度を上回った場合に、前記空気の移動を中断する工程、を含み、
冷却を行なうために必要な水は、他の外部の水の供給源を使用することなく前記周囲空気から収穫され、かつ、吸湿性材料は、建物に一体化され、空間、コストを節約し、熱伝達効率および貯蔵器の効率が改善されることを特徴とする、方法。
【請求項１６】
建物の少なくとも一部の湿気増強加熱のための方法であって、該方法は
ａ）建物に一体化された少なくとも１つの構造的構成要素を提供する工程であって、前記構造的構成要素は、隣接する通気領域内の空気に曝されるある量の吸湿性材料を含む工程と；
ｂ）通気領域中の空気、および周囲空気の湿度をモニタリングする工程と；
ｃ）加熱のための充填期間中に、周囲空気の湿度が通気領域の空気の湿度よりも低い時には、周囲空気と通気領域との間の空気の移動を生成し、かつ、周囲空気中の湿度が通気領域内の空気の湿度を上回った場合に、前記空気の移動を中断する工程と；および、および、
ｄ）加熱期間中に、周囲空気の湿度が通気領域の空気の湿度よりも高い時には、周囲空気と通気領域との間の空気の移動を生成し、かつ、周囲空気の湿度が通気領域内の空気の湿度を下回った場合に、前記空気の移動を中断する工程、を含み、
加熱および除湿は、前記気流制御システムに必要なエネルギー以外の他の外部のエネルギー源または熱源を使用することなく、前記周囲空気から収穫された乾燥の状態を使用して、得られることを特徴とする、方法。
【請求項１７】
次に予期される要求を加熱要求または冷却要求のいずれかとしてさらに定義し、かつ、
（ａ）次に予期される要求が冷却である時には、
（ｉ）冷却期間のための充填中に、周囲空気の湿度が通気領域の空気の湿度よりも高い時には、周囲空気と通気領域との間の空気の移動を生成し、かつ、周囲空気中の湿度が通気領域内の空気の湿度を下回った場合に、前記空気の移動を中断する工程と；および、
（ｉｉ）冷却期間中に、周囲空気の湿度が通気領域の空気の湿度よりも低い時には、周囲空気と通気領域との間の空気の移動を生成し、かつ、周囲空気の湿度が通気領域内の空気の湿度を上回った場合に、前記空気の移動を中断する工程と、および
（ｂ）次に予期される要求が加熱である時、
（ｉ）加熱のための充填期間に、周囲空気の湿度が通気領域の空気の湿度よりも低い時には、周囲空気と通気領域との間の空気の移動を生成し、かつ、周囲空気中の湿度が通気領域内の空気の湿度を上回った場合に、前記空気の移動を中断する工程と；および、
（ｉｉ）加熱期間中に、周囲空気の湿度が通気領域の空気の湿度よりも高い時には、周囲空気と通気領域との間の空気の移動を生成し、かつ、周囲空気の湿度が通気領域内の空気の湿度を下回った場合に、前記空気の移動を中断する工程と、をさらに含み、
加熱、冷却、加湿、および除湿は、前記気流制御システムに必要なエネルギー以外の他の外部の水または他の外部のエネルギー源を使用することなく、前記周囲空気から収穫された湿気および乾燥の状態を使用して、得られ；かつ、前記吸湿性材料は、建物に一体化され、空間、コストを節約し、熱伝達効率および貯蔵器の効率が大幅に改善されることを特徴とする、請求項１５に記載の方法。
【請求項１８】
前記構造的構成要素は建物の屋根構造の一部であり、通気領域は屋根の下の屋根空間であり、かつ、前記構造的構成要素は、家具または屋根板としての、建物の壁の一部；建物の床の一部；建物の天井の一部；建物の屋根の一部、からなる群から選択されることを特徴とする、請求項１７に記載の方法。
【請求項１９】
構造的構成要素は、吸湿性材料と組立体の外側の空気との間の湿度交換を防止するために被包される被包組立体の一部であり、通気領域は、組立体を通過する気流経路の配置であることを特徴とする、請求項１７に記載の方法。
【請求項２０】
（ａ）室内の空気の湿度をモニタリングする工程；
（ｂ）以下の通路のうちの１つに気流を生成する工程であって、該通路は：
（ｉ）前記建物の外部から、前記吸湿性材料を通って、前記建物の外部へ；
（ｉｉ）前記建物の内部から、前記吸湿性材料を通って、前記建物の内部へ；
（ｉｉｉ）前記建物の外部から、前記吸湿性材料を通って、前記建物の内部へ；
（ｉｖ）前記建物の内部から、前記吸湿性材料を通って、前記建物の外部へ；
の通路である工程、
（ｃ）上述の４つの可能な動作の予期される効果を測定するアルゴリズムによって前記建物の外部または前記建物の内部のいずれかにある、空気の供給源および吸い込みを選択し、かつ、
これらの動作のうちの１つが、内部状態を快適ゾーンの状態に近づけることが発見された場合、この動作をとる工程、をさらに含むことを特徴とする、請求項１７に記載の方法。
【請求項２１】
前記周囲空気または室内の空気と、前記通気領域との間の空気の移動はまた、対流、および、受動的な熱および湿度の交換を可能にすることによって、気流を無理に起こすことなく生成されることを特徴とする、請求項１７に記載の方法。
【請求項２２】
流出する冷たい空気が、流入する温かい空気を冷却する、または、流出する温かい空気が、流入する冷たい空気を加熱することを可能にする、流出気流と流入気流との間の熱交換をさらに行うことを特徴とする、請求項１７に記載の方法。
【国際調査報告】
2018524540.tif 000015
2018524540.tif 000016
2018524540.tif 000017